(57)【要約】【課題】制御基板に対する不正を防止すると共に、その不正の痕跡を容易に発見する。【解決手段】遊技機１０の基板ボックスは、第１ケース体１０８２と、前記第１ケース体と合わされる第２ケース体１０８１と、第１ケース体と第２ケース体との両開口の外周部に設けられた、板面を有する貼付板部１２０２，１２０３と、から成り、貼付板部に貼り付けられる封印シール１２０１と、貼付板部の一方が、ケース体のスライド方向面に対して傾斜した状態になり、かつ貼付板部にスライド方向に形成した隙間１２２３と、隙間から出没するように、他方の板面に取り付けた切断刃構造１２２１と、を備え、切断刃構造の刃先部１２２２は、ケース体をスライド移動させたときに、刃先部が両貼付板部の間隔が狭まった板面の隙間から突出し、封印シールを引掻きながら切断するように構成した。【選択図】図３２
2020073223.tif 000002
【特許請求の範囲】
【請求項１】
遊技機についての所定の遊技に関する制御を司る制御基板を内部に収容する基板ボックスを備えた遊技機であって、
前記基板ボックスは、
第１ケース体と、前記第１ケース体とスライドさせて合わされる第２ケース体と、
前記第１ケース体と第２ケース体との両開口の外周部に設けられた、板面を有する貼付板部と、から成り、
前記両貼付板部の境界を跨ぐようにして、それら貼付板部に貼り付けられる封印シールと、
前記貼付板部の一方が、前記第１ケース体と第２ケース体とのスライド方向面に対して傾斜した状態になり、かつ該貼付板部に該スライド方向に形成した隙間と、
該隙間から出没するように、前記貼付板部の他方の板面に取り付けた切断刃構造と、を備え、
前記切断刃構造の刃先部は、前記第１ケース体と第２ケース体とを分離するようにスライド移動させたときに、該刃先部が両貼付板部の間隔が狭まった板面の前記隙間から突出し、前記封印シールを引掻きながら切断するように構成した、ことを特徴とする遊技機。
【発明の詳細な説明】
【技術分野】
【０００１】
本発明は、パチンコ機、スロットマシンあるいはメダルの代わりに遊技球でスロットマシンの遊技をするパロット等の遊技機に関する。
【背景技術】
【０００２】
遊技機（パチンコ機）、スロットマシン等の遊技機には制御基板が備えられており、その制御基板によって電子的に遊技内容の制御が行われている。制御基板は、ＣＰＵ（ＣｅｎｔｒａｌＰｒｏｃｅｓｓｉｎｇＵｎｉｔ）、ＲＡＭ（ＲａｎｄｏｍＡｃｃｅｓｓＭｅｍｏｒｙ）、ＲＯＭ（ＲｅａｄＯｎｌｙＭｅｍｏｒｙ）、その他必要とされる集積回路やインターフェース回路を備えている。制御基板のＲＯＭには、遊技の制御内容を決めるデータが記憶されている。このＲＯＭを交換することにより、遊技の制御内容を変更する。また、制御基板自体を交換する。
【０００３】
この制御基板は基板ボックス内に収容されている。この基板ボックスは、その内部に制御基板を被包して収容するためのボックスベースとボックスカバーとを備えている。また、この基板ボックスには、このボックスベースとボックスカバーとを封止するための封止機構を備えている。この封止機構は所定箇所を破壊することにより開封できる構造となっている。その封止機構を破壊してケースを開封した場合には、封止機構の破壊に基づいて開封の有無が確認できる。
【０００４】
更に、基板ボックスを構成する一対のケース体の接合部に再貼付しづらいものであり、剥がすと痕跡が残る封印シールを貼付している。基板ボックスには、このような不正開封防止が図られている。
【０００５】
この封印シールを用いた不正対策に関する技術について、例えば特許文献１の特開２０１１−１５６４３３の「遊技機」には、基板ボックスにおいて封止手段の存する箇所でのケースの境界面に、封印シールを貼付する構成が提案されている。
【先行技術文献】
【特許文献】
【０００６】
【特許文献１】特開２０１１−１５６４３３
【発明の概要】
【発明が解決しようとする課題】
【０００７】
しかし、このような不正対策が施されていても、未だに不正行為が行われる可能性がある。この封印シールを構成した制御基板装置であっても、開封の痕跡が残らないようにして巧妙に不正が行われる可能性がある。例えば封印シールについては、一旦剥がし、その後再び基板ボックスに貼り直して元の状態に戻す不正行為は発見しづらいという問題を有していた。
【０００８】
本発明は、上述した問題点等を解決するために創案されたものである。すなわち、本発明の目的は、基板ボックスを構成する一対のケース体の接合部に再貼付不可能な封印シールを貼付し、基板ボックスを開閉する際に封印シールが切断される構成にすることで、制御基板に対する不正を防止すると共に、その不正の痕跡を容易に発見することができる遊技機を提供することにある。
【課題を解決するための手段】
【０００９】
本発明は、遊技機についての所定の遊技に関する制御を司る制御基板を内部に収容する基板ボックスを備えた遊技機であって、前記基板ボックスは、第１ケース体と、前記第１ケース体とスライドさせて合わされる第２ケース体と、前記第１ケース体と第２ケース体との両開口の外周部に設けられた、板面を有する貼付板部と、から成り、前記両貼付板部の境界を跨ぐようにして、それら貼付板部に貼り付けられる封印シールと、前記貼付板部の一方が、前記第１ケース体と第２ケース体とのスライド方向面に対して傾斜した状態になり、かつ該貼付板部に該スライド方向に形成した隙間と、該隙間から出没するように、前記貼付板部の他方の板面に取り付けた切断刃構造と、を備え、前記切断刃構造の刃先部は、前記第１ケース体と第２ケース体とを分離するようにスライド移動させたときに、該刃先部が両貼付板部の間隔が狭まった板面の前記隙間から突出し、前記封印シールを引掻きながら切断するように構成した、ことを特徴とする。
【発明の効果】
【００１０】
上記構成の発明では、第１ケース体と第２ケース体の境界に貼付している封印シールを不正開封するときに、この封印シールを切断刃構造の刃先部で引掻きながら切断する。この封印シールを再度貼付できないようにし、不正開封を防止することができる。
【００１１】
この切断刃構造では、封印シールを引掻きながら切断するので、この切断された封印シールの切断線が粗くなるので、この切断部分を精緻に接続することができず、再度貼付することを防止することができる。
【図面の簡単な説明】
【００１２】
【図１】一実施の形態におけるパチンコ機を示す斜視図である。
【図２】パチンコ機の主要な構成を展開して示す斜視図である。
【図３】パチンコ機の主要な構成を展開して示す斜視図である。
【図４】パチンコ機の構成を示す背面図である。
【図５】遊技機ベースユニットの構成を示す正面図である。
【図６】遊技盤の構成を示す正面図である。
【図７】遊技機ベースユニットの構成を示す背面図である。
【図８】遊技機前面ユニットの構成を示す背面図である。
【図９】裏パックユニットの構成を示す正面図である。
【図１０】裏パックユニットの構成を示す分解斜視図である。
【図１１】本発明の封印シール切断構造を具備した基板ボックスを示す正面図である    。
【図１２】本発明の封印シール切断構造を具備した基板ボックスを示す斜視図である    。
【図１３】実施例１の封印シール切断構造を具備した基板ボックスをボックスベース    側から視認した状態を示す部分分解斜視図である。
【図１４】実施例１の封印シール切断構造を具備した基板ボックスをボックスカバー    側から視認した状態を示す部分分解斜視図である。
【図１５】封印シール切断構造の可動切断部をボックスベースに取り付けた状態を示    す分解部分斜視図である。
【図１６】封印シールを貼り付けたボックスベースからボックスカバーをスライド移    動させる前の状態を示す部分斜視図である。
【図１７】封印シールを貼り付けていないボックスベースからボックスカバーをスラ    イド移動させると同時に可動切断部が回動した状態を示す部分斜視図である。
【図１８】実施例１の封印シール切断構造の動作状態を示す部分拡大断面図であり、    （ａ）は刃部が封印シールを切断する前の状態、（ｂ）は刃部が封印シールを切断する初期状態、（ｃ）は刃部が封印シールを大きく切断した状態である。
【図１９】可動切断部の刃部の変形例を示す拡大断面図である。
【図２０】可動切断部の変形例を示す拡大断面図である。
【図２１】実施例２の封印シール切断構造を示す貼付板部の端部の側面図である。
【図２２】実施例２の封印シール切断構造の切断状態を示す拡大断面図である。
【図２３】実施例２の封印シール切断構造の変形例を示す接合面の概略正面図であり    、（ａ）は三角形を並べたもの、（ｂ）は半円を並べたもの、（ｃ）は複雑な形状にしたものである。
【図２４】本発明の封印シール切断構造を具備した基板ボックスを示す正面図である    。
【図２５】本発明の封印シール切断構造を具備した基板ボックスを示す斜視図である    。
【図２６】実施例３の封印シール切断構造を具備した基板ボックスをボックスベース    １０８１側から視認した状態を示す部分分解斜視図である。
【図２７】実施例３の封印シール切断構造を具備した基板ボックスをボックスカバー    側から視認した状態を示す部分分解斜視図である。
【図２８】封印シール切断構造をボックスベースに取り付けた状態を示す分解部分斜    視図である。
【図２９】金属刃を示す拡大斜視図である。
【図３０】ボックスベースからボックスカバーをスライド移動させる前の状態を示す    部分斜視図である。
【図３１】ボックスベースからボックスカバーをスライド移動させると同時に切断刃    構造が封印シールを切断した状態を示す部分斜視図である。
【図３２】実施例３の切断刃構造の動作状態を示す部分拡大断面図であり、（ａ）は    刃先部が封印シールを切断する前の状態、（ｂ）は刃先部が封印シールを大きく切断した状態である。
【図３３】実施例４の封印シール切断構造を示す貼付板部の端部の側面図である。
【図３４】実施例４の封印シール切断構造の切断状態を示す拡大断面図である。
【図３５】実施例４の封印シール切断構造の変形例を示す接合面の概略正面図であり    、（ａ）は三角形を並べたもの、（ｂ）は半円を並べたもの、（ｃ）は複雑な形状にしたものである。
【発明を実施するための形態】
【００１３】
以下、本発明の好ましい実施の形態を図面を参照して説明する。
図１は本発明のパチンコ機１０の遊技機主部２１と外枠１１とが嵌合した状態を示す斜視図である。図２及び図３はパチンコ機１０の主要な構成を展開して示す斜視図である。図４はパチンコ機１０の背面図である。なお、図２では便宜上パチンコ機１０の遊技領域内の構成を省略している。
パチンコ機１０は、当該パチンコ機１０の外殻を形成する外枠１１と、この外枠１１に対して前方に回動可能に取り付けられた遊技機主部２１とを有する。
【００１４】
＜遊技機１０の全体構成＞
外枠１１は、図1及び図４に示すように、板材１２〜１５を四辺に連結し構成されるものであって矩形枠状をなしている。外枠１１を構成する板材１２〜１５は、左右の板材１２，１３がアルミなどの金属製となっており、上下の板材１４，１５が木製となっている。パチンコ機１０は、外枠１１の上下の板材１４，１５を島設備に取り付け固定することにより、遊技ホールに設置される。
【００１５】
上記のように左右の板材１２，１３を金属製とすると共に上下の板材１４，１５を木製とすることで、島設備への固定を可能としつつ外枠１１の補強を行うことができる。なお、外枠１１の構成は上記のものに限定されることはなく、全ての板材１２〜１５を木製としてもよく、全ての板材１２〜１５を金属製としてもよい。また、板材１２〜１５の全部又は一部を合成樹脂製としてもよい。
【００１６】
外枠１１の左側の板材１２には、その上下の各端部に支持金具１７，１８が取り付けられている。これら支持金具１７，１８に支持させるようにして、図２及び図３に示すように、遊技機主部２１が外枠１１に対して回動可能に取り付けられている。本発明は、これら支持金具１７，１８に遊技機主部２１を着脱自在に取り付ける構造になる。
【００１７】
遊技機主部２１は、図２及び図３に示すように、遊技機ベースユニット（本体枠又は内枠）２２と、その遊技機ベースユニット２２の前方に配置される遊技機前面ユニット（前面扉又は前枠）２３と、遊技機ベースユニット２２の後方に配置される裏パックユニット２４とを備えている。遊技機主部２１のうち遊技機ベースユニット２２が外枠１１に対して回動可能に支持されている。詳細には、正面視で左側を回動基端（開閉基端）側とし右側を回動先端（開閉先端）側として遊技機ベースユニット２２が前方へ回動可能（開閉可能）とされている。
【００１８】
遊技機ベースユニット２２は、外枠１１の開口全体を覆う大きさを有しており、その背面側であって回動先端側には施錠装置３１が取り付けられている。施錠装置３１は長尺状の連動杆３２を備えており、当該連動杆３２には上下一対の鉤金具３３が設けられている。外枠１１に対して遊技機ベースユニット２２を閉鎖した際には、鉤金具３３が外枠１１の右側の板材１３に設けられた受け金具３４に係止され、施錠装置３１により施錠状態とされるようになっている。また、遊技機ベースユニット２２にはシリンダ錠３５（図１参照）が設けられており、シリンダ錠３５の操作によって連動杆３２を上方向又は下方向のうち予め定められた方向に移動させると、外枠１１に対する遊技機ベースユニット２２の施錠状態が解除される。
【００１９】
遊技機ベースユニット２２には、図２に示すように、遊技機前面ユニット２３が回動可能に支持されており、正面視で左側を回動基端（開閉基端）側とし右側を回動先端（開閉先端）側として前方へ回動可能（開閉可能）とされている。また、遊技機ベースユニット２２には、図３に示すように、裏パックユニット２４が回動可能に支持されており、正面視で左側を回動基端（開閉基端）側とし右側を回動先端（開閉先端）側として後方へ回動可能（開閉可能）とされている。
【００２０】
次に、遊技機ベースユニット２２、遊技機前面ユニット２３及び裏パックユニット２４のそれぞれについて詳細に説明する。
＜遊技機ベースユニット２２＞
図５は遊技機ベースユニット２２の正面図である。図６は遊技機ベースユニット２２に搭載された遊技盤６１の正面図である。図７は遊技機ベースユニット２２の背面図である。なお、図５では便宜上パチンコ機１０の遊技領域内の構成を省略している。
先ず、遊技機ベースユニット２２の構成について詳細に説明する。
遊技機ベースユニット２２は、図５に示すように、外形が外枠１１とほぼ同一形状をなす樹脂ベース４１を主体に構成されている。樹脂ベース４１の中央部には略楕円形状の窓孔５１が形成されている。樹脂ベース４１にはその後方から遊技盤６１が着脱可能に取り付けられている。詳細には、樹脂ベース４１の裏面には、図７に示すように、複数（本実施の形態では４箇所）の固定金具５２〜５５が設けられており、これら固定金具５２〜５５によって遊技盤６１は後方へ脱落しないように固定されている。固定金具５２〜５５は手動で回動操作することができ、固定位置（ロック位置）と固定解除位置（アンロック位置）とに切り換えることができるよう構成されている。
【００２１】
図５に示すように、樹脂ベース４１における窓孔５１の下方には、遊技球発射機構８０が取り付けられている。遊技球発射機構８０は、電磁式のソレノイド８１と、発射レール８２と、球送り機構８３とからなり、ソレノイド８１への電気的な信号の入力により当該ソレノイド８１の出力軸が伸縮方向に移動し、球送り機構８３によって発射レール８２上に置かれた遊技球を遊技領域に向けて打ち出す。ソレノイド８１への電気的な信号の入力は、遊技機前面ユニット２３の下部に設けられた遊技球発射ハンドル８４（図１等参照）が操作されることに基づいて発生する。
【００２２】
次に遊技機ベースユニット２２に搭載される遊技盤６１について説明する。
遊技盤６１は合板より成り、遊技盤６１の前面に形成された遊技領域が樹脂ベース４１の窓孔５１を通じて遊技機ベースユニット２２の前面側に露出した状態となっている。
【００２３】
図６に示すように、遊技盤６１には、ルータ加工が施されることによって前後方向に貫通する大小複数の開口部が形成され、各開口部には一般入賞口６２、可変入賞装置６３、上作動口６４、下作動口６５、スルーゲート６６、可変表示ユニット６７及びアウト口６８等がそれぞれ設けられている。このうち、可変入賞装置６３、上作動口６４、下作動口６５、可変表示ユニット６７及びアウト口６８は、遊技盤６１の左右方向の中央において上下方向に並べて設けられており、上から可変表示ユニット６７、上作動口６４、下作動口６５及びアウト口６８の順となっている。また、一般入賞口６２は、遊技盤６１の下部において、左側に３個及び右側に１個の合計４個設けられている。ちなみに、遊技盤６１の左側は遊技機前面ユニット２３の回動基端側に相当し、遊技盤６１の右側は遊技機前面ユニット２３の回動先端側に相当する。
【００２４】
一般入賞口６２、可変入賞装置６３、上作動口６４及び下作動口６５に遊技球が入球すると、それが検知スイッチにより検知され、その検知結果に基づいて所定数の賞球の払い出しが実行される。具体的には、一般入賞口６２に一の遊技球が入球すると単位遊技球数として１０個の遊技球が払い出され、可変入賞装置６３に一の遊技球が入球すると単位遊技球数として１５個の遊技球が払い出され、上作動口６４に一の遊技球が入球すると単位遊技球数として３個の遊技球が払い出され、下作動口６５に一の遊技球が入球すると単位遊技球数として４個の遊技球が払い出される。
【００２５】
各種入賞口等に入らなかった遊技球は、後述する内レール部７７によって集められ、内レール部７７の最下部に設けられたアウト口６８を通って遊技領域から排出される。その他に、遊技盤６１には、遊技球の落下方向を適宜分散、調整等するために多数の釘６９が植設されていると共に、風車等の各種部材（役物）や内レール部７７および外レール部７８が配設されている。
【００２６】
可変表示ユニット６７は、遊技盤６１の略中央部上方に形成された略円形の開口部に取り付けられる図柄表示装置７１と、開口部の周縁に図柄表示装置７１を囲むようにして配設されたセンターフレーム７２を備えている。
図柄表示装置７１は、液晶ディスプレイを備えた液晶表示装置であり、後述する表示制御装置１０１により、いずれかの作動口６４，６５への入賞をトリガとして図柄を可変表示するように制御されている。図柄表示装置７１には、例えば左、中及び右に並べて図柄が表示され、これらの図柄が上下方向にスクロールされるようにして変動表示されるようになっている。そして、予め設定されている有効ライン上に所定の組合せの図柄が停止表示された場合には、特別遊技状態（以下、大当たりという）が発生することとなる。なお、図柄表示装置７１は、ＣＲＴ，ドットマトリックス，７セグメント等その他のタイプにより表示画面を構成したものであってもよい。
【００２７】
また、センターフレーム７２の上部には、第１特定ランプ部７３及び第２特定ランプ部７４が、センターフレーム７２の上部及び下部には保留ランプ部７５，７６がそれぞれ設けられている。下側の保留ランプ部７５は、図柄表示装置７１及び第１特定ランプ部７３に対応しており、遊技球が作動口６４，６５を通過した回数は最大４回まで保留され、保留ランプ部７５の点灯によってその保留個数が表示されるようになっている。上側の保留ランプ部７６は、第２特定ランプ部７４に対応しており、遊技球がスルーゲート６６を通過した回数は最大４回まで保留され、保留ランプ部７６の点灯によってその保留個数が表示されるようになっている。
【００２８】
第１特定ランプ部７３では、上作動口６４への入賞をトリガとして所定の順序で発光色の切り替えが行われ、予め定められた色で停止表示された場合には大当たりが発生する。また、第２特定ランプ部７４では、遊技球のスルーゲート６６の通過をトリガとして所定の順序で発光色の切り替えが行われ、予め定められた色で停止表示された場合には下作動口６５に付随する電動役物６５ａが所定時間だけ開放状態となる。
【００２９】
ちなみに、下作動口６５は、開閉手段としての電動役物６５ａが開放状態の場合に入球が可能となり、閉鎖状態の場合に入球が不可となる。なお、これに限定されることはなく、電動役物６５ａが開放状態の場合に入球し易くなり、閉鎖状態の場合に入球しがたくなる構成としてもよい。
【００３０】
可変入賞装置６３は、開閉手段としての開閉扉６３ａが通常は遊技球が入球できない又は入球しがたい閉鎖状態になっており、大当たりの際に遊技球が入球しやすい所定の開放状態に切り換えられるようになっている。可変入賞装置６３の開放態様としては、所定時間（例えば３０秒間）の経過又は所定個数（例えば１０個）の入賞を１ラウンドとして、複数ラウンド（例えば１５ラウンド）を上限として可変入賞装置６３が繰り返し開放されるものが一般的である。
【００３１】
遊技盤６１の周縁部分には、略円弧状の内レール部７７と外レール部７８とが取り付けられており、これら内レール部７７と外レール部７８とにより誘導レールが構成され、上述した遊技球発射機構８０から発射された遊技球が遊技領域の上部に案内されるようになっている。また、図５に示すように、樹脂ベース４１の窓孔５１の右上部には返しゴム７９が設けられており、所定以上の勢いで発射された遊技球は返しゴム７９に当たり、遊技領域の中央寄りに跳ね返されるようになっている。この場合、返しゴム７９はその遊技球が当たる面が遊技領域の中央側に向けて傾斜させて形成されているため、遊技領域の中央に向けた遊技球の跳ね返しが良好に行われるようになっている。
【００３２】
遊技機ベースユニット２２が遊技機前面ユニット２３を支持する機構について、図５等に基づいて説明する。
遊技機ベースユニット２２の樹脂ベース４１の前面における回動基端側には、その上端部及び下端部に支持金具４２，４３が取り付けられている。これら支持金具４２，４３に対して遊技機前面ユニット２３が支持されていることで当該遊技機前面ユニット２３が遊技機ベースユニット２２に対して前方に回動可能となっている。また、樹脂ベース４１の前面における回動先端側には、遊技機前面ユニット２３の背面に設けられた鉤金具４４（図２参照）を挿入するための挿入孔４５が上下方向に離間させて複数設けられている。遊技機ベースユニット２２に対して遊技機前面ユニット２３を閉鎖した状態では、遊技機前面ユニット２３の鉤金具４４が挿入孔４５内に入り込み、当該鉤金具４４は上述した施錠装置３１（図３参照）に係止される。これにより、遊技機ベースユニット２２に対して遊技機前面ユニット２３が施錠された状態となる。この施錠状態はシリンダ錠３５の操作によって施錠装置３１の連動杆３２を、外枠１１に対する遊技機ベースユニット２２の解錠を行う場合とは反対側に移動させることで解除される。
【００３３】
次に、遊技機ベースユニット２２の背面構成について図７を用いて詳細に説明する。
樹脂ベース４１の背面における回動先端側には既に説明した施錠装置３１が設けられている。また、樹脂ベース４１の中央には上記のとおり遊技盤６１が取り付けられている。
【００３４】
遊技盤６１の中央に配置された可変表示ユニット６７（図６参照）には、図３及び図７に示すように、センターフレーム７２（図６参照）を後方から覆う合成樹脂製のフレームカバー１００が後方に突出させて設けられており、フレームカバー１００に対して後側から上述した図柄表示装置７１が取り付けられていると共に、その図柄表示装置７１を駆動するための表示制御装置１０１が取り付けられている。これら図柄表示装置７１及び表示制御装置１０１は前後方向に重ねて配置され（図柄表示装置７１が前、表示制御装置１０１が後）、さらにその後方に音声ランプ制御装置ユニット１０２が搭載されている。音声ランプ制御装置ユニット１０２は、音声ランプ制御装置１０３と、取付台１０４とを具備する構成となっており、取付台１０４上に音声ランプ制御装置１０３が装着されている。
【００３５】
音声ランプ制御装置１０３は、後述する主制御装置からの指示に従い音声やランプ表示、及び表示制御装置の制御を司る音声ランプ制御基板を具備しており、音声ランプ制御基板が透明樹脂材料等よりなる基板ボックスに収容されて構成されている。
【００３６】
遊技盤６１の背面であって可変表示ユニット６７の下方には、主制御装置ユニット１０５が搭載されている。主制御装置ユニット１０５は、合成樹脂製の取付台１０６を有し、取付台１０６に主制御装置１０７が搭載されている。主制御装置１０７は、遊技の主たる制御を司る機能（主制御回路）と、電源を監視する機能（停電監視回路）とを有する主制御基板を具備しており、当該主制御基板が透明樹脂材料等よりなる第１基板ボックス１０８に収容されて構成されている。なお、当該基板ボックス１０８には、後述するように当該基板ボックスの開放痕跡手段としてかしめ部材や封印シールが設けられていると共に、取付台１０６に対する主制御装置１０７の離脱痕跡手段としてかしめ部材が設けられている。なお、ここで基板ボックス（第１基板ボックス）１０８と称しているが、後述するように基板ボックス１４８，１４９が複数存在するので、それぞれ区別するために便宜的に用いた。その順番以外に何ら意味合いを持つものではない。
【００３７】
遊技盤６１の背面における主制御装置ユニット１０５により覆われた領域には、図示しない集合板ユニットが設けられている。集合板ユニットには、各種入賞口に入賞した遊技球を回収するための遊技球回収機構や、各種入賞口等への遊技球の入賞を検知するための入賞検知センサなどが設けられている。遊技球回収機構にて回収された遊技球は後述する排出通路を介してパチンコ機１０外部に排出される。また、入賞検知センサは主制御装置１０７と電気的に接続されており、遊技球の入賞を検知した場合の検知信号は主制御装置１０７にて入力される。
【００３８】
遊技機ベースユニット２２が裏パックユニット２４を支持する機構について説明する。
樹脂ベース４１の背面における回動基端側（図７の右側）には、軸受け金具１１１，１１２，１１３が取り付けられている。軸受け金具１１１〜１１３は上下に離間させて３個設けられている。なお、軸受け金具１１１〜１１３の数は任意であり、２個であってもよく、４個以上であってもよい。遊技機ベースユニット２２には、図３に示すように、これら軸受け金具１１１〜１１３に対して軸支させて裏パックユニット２４が取り付けられている。裏パックユニット２４により、可変表示ユニット６７の全部及び主制御装置ユニット１０５の一部が後方から覆われており、裏パックユニット２４を開放させない限り可変表示ユニット６７及び主制御装置ユニット１０５を樹脂ベース４１から取り外すことができないようになっている。
【００３９】
樹脂ベース４１の背面には、図３及び図７に示すように、裏パックユニット２４を遊技機ベースユニット２２に固定するための固定金具１１５が設けられている。固定金具１１５は手動で回動操作することができ、固定位置（ロック位置）と固定解除位置（アンロック位置）とに切り換えることができるよう構成されている。また、図７に示すように、樹脂ベース４１の背面には締結孔部１１６が形成されており、当該締結孔部１１６に対して裏パックユニット２４に設けられた後述する締結具１１７（図９参照）を締結させることによっても裏パックユニット２４が遊技機ベースユニット２２に固定される。
【００４０】
＜遊技機前面ユニット２３＞
遊技機前面ユニット２３の構成について図１に基づいて説明する。
遊技機前面ユニット２３は遊技機ベースユニット２２の前面側全体を覆うようにして設けられている。遊技機前面ユニット２３には、上記遊技領域のほぼ全域を前方から視認することができるようにした略楕円形状の窓パネル部９１が設けられている。窓パネル部９１の周囲には、各種ランプ等の発光手段が設けられている。例えば、窓パネル部９１の周縁に沿ってＬＥＤ等の発光手段を内蔵した環状電飾部９２が設けられている。環状電飾部９２では、大当たり時や所定のリーチ時等における遊技状態の変化に応じて点灯や点滅が行われる。また、環状電飾部９２の中央であってパチンコ機１０の最上部には所定のエラー時に点灯するエラー表示ランプ部９３が設けられている。また、窓パネル部９１の左上方及び右上方には、遊技状態に応じた効果音などが出力されるスピーカ部９４が設けられている。
【００４１】
遊技機前面ユニット２３には、窓パネル部９１の下方に、手前側へ膨出した第１膨出部９５と第２膨出部９６とが上下に並設されている。
第１膨出部９５内側には、上方に開口した上皿９５ａが設けられている。上皿９５ａは、第１払出口より払い出された遊技球を一旦貯留し、一列に整列させながら下流側（本実施の形態では右側）の遊技球発射機構８０へ導く機能を有する球受皿である。
【００４２】
第１膨出部９５の上面右側（上皿９５ａの下流側）には、奥側に上皿球抜きスイッチが、手前側に貸球操作部がそれぞれ配設されている。上皿球抜きスイッチは、上皿９５ａに貯留された遊技球を排出するために操作されるものである。
【００４３】
貸球操作部には、球貸しボタンと、返却ボタンとが設けられている。球貸しボタンは、カード等（記録媒体）に記録された情報に基づいて貸出球を得るために操作されるものであり、カード等に残額が存在する限りにおいて貸出球が払い出される。返却ボタンは、カードユニットに挿入されたカード等の返却を求める際に操作される。なお、球貸しボタン及び返却ボタンとからなる貸球操作部は、第１膨出部９５の上方にも設けられている。
【００４４】
また、球貸しボタンと返却ボタンとの間に、遊技者により操作可能なプッシュ式の演出スイッチが設けられている。演出スイッチには図示しないランプが内蔵されており、選択操作が有効とされる状況下ではランプが点灯表示され、選択操作が無効とされる状況下ではランプが消灯表示されるようになっている。そして、当該ランプが点灯表示されている状況下で演出スイッチ２３６を操作された場合、後述する図柄表示装置７１の表示モードが変更されるようになっている。
【００４５】
第１膨出部９５と同様に、第１膨出部９５の下方に手前側へ膨出するように設けられている第２膨出部９６内側にも、上方に開口した下皿９６ａが設けられている。下皿９６ａは、第２払出口より払い出された遊技球を一旦貯留するための球受皿である。下皿９６ａには、例えば、上皿９５ａにて遊技球が余剰となった場合には、下皿球抜きスイッチ２３３が操作され、上皿９５ａに貯留された遊技球が第２払出口２３７より排出されるようになっている。
【００４６】
第２膨出部９６前面側には、下皿９６ａに貯留された遊技球を下方に排出するための上球抜きスイッチが設けられている。また、第２膨出部９６の右方には、手前側へ突出するようにして遊技球発射ハンドル８４が設けられている。遊技球発射ハンドル８４は、板材１２の背面側に設けられた遊技球発射機構８０（図５参照）に連結されており、上皿９５ａに貯留された遊技球は、遊技者が遊技球発射ハンドル８４を回転させることにより、遊技盤６１に形成された遊技領域に向けて発射される。
【００４７】
図８は遊技機前面ユニット２３の背面図である。
遊技機前面ユニット２３の背面における回動基端側（図８の右側）には、その上端部及び下端部に突起軸９７，９８が設けられている。これら突起軸９７，９８は遊技機ベースユニット２２に対する組付機構を構成する。また、遊技機前面ユニット２３の背面における回動先端側（図８の左側）には、上述した鉤金具４４が上下方向に複数並設されている。
【００４８】
また、遊技機前面ユニット２３の背面には、図８に示すように、前面側通路ユニット２７１が取り付けられている。前面側通路ユニット２７１は、合成樹脂により成形されており、上皿９５ａに通じる前扉側上皿通路と、下皿９６ａに通じる前扉側下皿通路とが形成されている。
【００４９】
＜裏パックユニット２４＞
裏パックユニット２４の構成について詳細に説明する。
図９は裏パックユニット２４の正面図である。図１０は裏パックユニット２４の分解斜視図である。
裏パックユニット２４は、当該裏パックユニット２４の上部及び中央部分を構成する第１裏パックユニット１２１と、当該第１裏パックユニット１２１に連続させて設けられ裏パックユニット２４の下部を構成する第２裏パックユニット１４１とを備えている。第１裏パックユニット１２１にはその下部に開口部１２２が形成されており、第２裏パックユニット１４１の上部は当該開口部１２２の下縁部分を構成している。
【００５０】
第１裏パックユニット１２１と第２裏パックユニット１４１には、図９に示すように、それぞれ軸金具１２３，１３９が設けられており、それら軸金具１２３，１３９はそれぞれ個別に遊技機ベースユニット２２の軸受け金具１１１〜１１３（図７参照）に支持されている。これにより、第１裏パックユニット１２１と第２裏パックユニット１４１とは、遊技機ベースユニット２２に対してそれぞれ個別に回動可能となっている。
【００５１】
ここで、上記のとおり、第２裏パックユニット１４１はその上部が第１裏パックユニット１２１の開口部１２２の下縁部分を構成しており、当該下縁部分において、第１裏パックユニット１２１がパチンコ機１０前方となるようにして第１裏パックユニット１２１と第２裏パックユニット１４１とが前後に重なっている。したがって、第１裏パックユニット１２１を遊技機ベースユニット２２に対して閉鎖した状態で第２裏パックユニット１４１を開放させることはできるが、第２裏パックユニット１４１を閉鎖した状態で第１裏パックユニット１２１を開放させることはできない。なお、これに限定されることはなく、開閉の関係が第１裏パックユニット１２１と第２裏パックユニット１４１とで逆であってもよく、第１裏パックユニット１２１と第２裏パックユニット１４１とが相互に干渉することなく開閉可能な構成であってもよい。さらには、第１裏パックユニット１２１と第２裏パックユニット１４１とが一体化され個別に開閉できない構成としてもよい。
【００５２】
次に、第１裏パックユニット１２１の構成について詳細に説明する。
第１裏パックユニット１２１は、裏パック１２４を備えており、当該裏パック１２４に対して、払出機構部１２５が取り付けられている。裏パック１２４は透明性を有する合成樹脂により成形されており、払出機構部１２５などが取り付けられるベース部１２６と、パチンコ機１０後方に突出し略直方体形状をなす保護カバー部１２７とを有する。保護カバー部１２７は左右側面及び上面が閉鎖され且つ下面のみが開放された形状をなし、少なくとも可変表示ユニット６７を囲むのに十分な大きさを有する。
【００５３】
ベース部１２６には、その右上部に外部端子板１３１が設けられている。外部端子板１３１には各種の出力端子が設けられており、これらの出力端子を通じて遊技ホール側の管理制御装置に対して各種信号が出力される。また、ベース部１２６には上述した第１裏パックユニット１２１の軸金具１２３が設けられている。
【００５４】
ベース部１２６には、保護カバー部１２７を迂回するようにして払出機構部１２５が配設されている。払出機構部１２５は、タンク１３２と、タンクレール１３３と、上下通路ユニット１３４とを備えている。タンク１３２は上方に開放されており、裏パック１２４の最上部に設けられている。タンク１３２には遊技ホールの島設備から遊技球が逐次補給される。タンクレール１３３は、タンク１３２の下方において当該タンク１３２に連結されており、下流側に向けて緩やかに傾斜している。当該タンクレール１３３の下流部に連結させて上下通路ユニット１３４が設けられている。上下通路ユニット１３４は上下方向に延びており、その途中位置に払出装置１３５が設けられている。また、上下通路ユニット１３４の下流側には、球受け部、裏パック側通路部、本体側通路部及び前面側通路部が設けられており、前面側通路部は上皿９５ａ及び下皿９６ａに連通されている。
【００５５】
つまり、タンク１３２と、上皿９５ａ及び下皿９６ａの受け皿との間には、タンクレール１３３、上下通路ユニット１３４、球受け部、裏パック側通路部、本体側通路部及び前面側通路部からなる誘導通路部が設けられており、タンク１３２に貯留されている遊技球は当該誘導通路部を通じて上皿９５ａ又は下皿９６ａに払い出される。なお、上下通路ユニット１３４の構成、及びそれよりも下流側の構成については後に詳細に説明する。
【００５６】
払出機構部１２５には、裏パック基板１３６が設置されている。裏パック基板１３６には、例えば交流２４ボルトの主電源が供給され、電源スイッチ１３７の切替操作により電源ＯＮ又は電源ＯＦＦとされるようになっている。
【００５７】
次に、第２裏パックユニット１４１の構成について詳細に説明する。
第２裏パックユニット１４１は、排出通路盤１４２と制御装置集合ユニット１４３とを備えている。排出通路盤１４２は第２裏パックユニット１４１の前側を構成し、制御装置集合ユニット１４３は第２裏パックユニット１４１の後側を構成している。そして、これら排出通路盤１４２と制御装置集合ユニット１４３とが前後に組み付けられて第２裏パックユニット１４１が構成されている。
【００５８】
排出通路盤１４２は、制御装置集合ユニット１４３と対向する面に後方に開放された排出通路１４４が形成されており、当該排出通路１４４の開放部は制御装置集合ユニット１４３によって塞がれている。排出通路１４４は、遊技ホールの島設備等へ遊技球を排出するように形成されており、上述した各種入賞口等から排出通路１４４に導出された遊技球は当該排出通路１４４を通ることでパチンコ機１０外部に排出される。
【００５９】
制御装置集合ユニット１４３は、横長形状をなす取付台１４５を有し、取付台１４５に払出制御装置１４６と電源及び発射制御装置１４７とが搭載されている。これら払出制御装置１４６と電源及び発射制御装置１４７とは、払出制御装置１４６がパチンコ機１０後方となるように前後に重ねて配置されている。
【００６０】
払出制御装置１４６は、第２基板ボックス１４８内に払出装置１３５を制御する払出制御基板が収容されている。なお、払出制御装置１４６から払出装置１３５への払出指令の信号は上述した裏パック基板１３６により中継される。また、払出制御装置１４６には状態復帰スイッチ１４８ａが設けられている。例えば、払出装置１３５における球詰まり等、払出エラーの発生時において状態復帰スイッチ１４８ａが押されると、球詰まりの解消が図られるようになっている。
【００６１】
電源及び発射制御装置１４７は、第３基板ボックス１４９内に電源及び発射制御基板が収容されており、当該基板により、各種制御装置等で要する所定の電源が生成されて出力され、さらに遊技者による遊技球発射ハンドル８４の操作に伴う遊技球の打ち出しの制御が行われる。また、電源及び発射制御装置１４７にはＲＡＭ消去スイッチ１４９ａが設けられている。本パチンコ機１０は各種データの記憶保持機能を有しており、万一停電が発生した際でも停電時の状態を保持し、停電からの復帰の際には停電時の状態に復帰できるようになっている。したがって、例えば遊技ホールの営業終了の場合のように通常手順で電源を遮断すると遮断前の状態が記憶保持されるが、ＲＡＭ消去スイッチ１４９ａを押しながら電源を投入すると、ＲＡＭデータが初期化されるようになっている。
【００６２】
＜基板ボックス１０８＞
図１１は本発明の封印シール切断構造を具備した基板ボックス１０８を示す正面図である。図１２は本発明の封印シール切断構造を具備した基板ボックス１０８を示す斜視図である。
本発明の封印シール切断構造を具備した基板ボックス１０８は、その内部に、所定の遊技に関する制御を司る主制御基板（図示省略）を収容している。主制御基板は、パチンコ機１０を統括制御しており、始動入賞に基づく遊技内容処理や遊技球の払出など種々の制御を行っている。
【００６３】
基板ボックス１０８は、図１１，図１２に示すように、主制御基板が取り付けられるボックスベース１０８１と、このボックスベース１０８１と合わされるボックスカバー１０８２とを備えている。主制御基板が取り付けられたボックスベース１０８１に、その制御基板取付面側にボックスカバー１０８２を合わせることで形成される内部空間内に、主制御基板を収容する。なお、主制御基板は、そのＣＰＵやＲＯＭやＲＡＭなどの各種電子部品が実装された実装面をボックスベース１０８１に向け、その電子部品を取り付けるための半田面をボックスカバー１０８２に向けて、基板ボックス１０８内に収容されている。
【００６４】
本実施例では、図１１，図１２に示すように、ボックスベース１０８１は、例えばその外形が前面視で略直方体形状で、主制御基板が挿入される開口部を有する有底箱形状となっている。また、ボックスカバー１０８２はボックスベース１０８１の開口部を覆うためのものである。ボックスベース１０８１およびボックスカバー１０８２は、例えば透明樹脂成型品である。
【００６５】
また、基板ボックス１０８は、後述する図１３、図１４等に示すように、主制御基板が取り付けられたボックスベース１０８１で、その主制御基板の取付面側にボックスカバー１０８２を合わせた状態でボックスベース１０８１又はボックスカバー１０８２の少なくとも一方を当該合わせ面所定方向にスライド移動させることでボックスベース１０８１とボックスカバー１０８２とを係止する係止部材１０８３を備えている。
【００６６】
係止部材１０８３は、図１３、図１４等に示すように、ボックスベース１０８１でのスライド方向に平行な両辺（上面および下面）箇所にその辺方向に複数個配設された係止爪１０８４と、ボックスカバー１０８２でのスライド方向に平行な両辺箇所にその辺方向に複数個配設されて、この係止爪１０８４が係止される被係止部１０８５とを備えている。係止爪１０８４は、ボックスベース１０８１からボックスカバー１０８２の方に突出する鉤部を備えている。
【００６７】
被係止部１０８５は、図１３、図１４等に示すように、係止爪１０８４の鉤部が挿入された状態でボックスベース１０８１とボックスカバー１０８２とのスライドを制止する。
具体的には、ボックスベース１０８１の開口部をほぼ覆うようにボックスカバー１０８２を合わせた状態で、このボックスベース１０８１とボックスカバー１０８２とは相対的に係止爪１０８４の鉤部の先端部分の長さ程度にスライド可能であり、この鉤部の先端部分の長さ程度にスライド移動させると、ボックスベース１０８１の開口部をボックスカバー１０８２で閉塞した状態に合わせた位置となり、ボックスベース１０８１とボックスカバー１０８２とのスライドが停止する構成としている。
【００６８】
＜封印シール１２０１＞
基板ボックス１０８を構成するボックスベース１０８１には封印シール１２０１を貼り付けるための貼付板部１２０２が形成されている。この貼付板部１２０２は、ボックスベース１０８１の短辺側に沿うようにして略板状に形成されている。
また、ボックスベース１０８１に形成された貼付板部１２０２に対応させてボックスカバー１０８２にも同様の貼付板部１２０３が形成されており、両貼付板部１２０２，１２０３は隙間をあけて配置されている（図１３参照）。これら両貼付板部１２０２，１２０３には、厚み方向に貫通するねじ穴１２０４が形成されており、ねじにより両貼付板部１２０２，１２０３（ボックスベース１０８１及びボックスカバー１０８２）が固定されている。即ち、ボックスベース１０８１とボックスカバー１０８２との固定は、係止部材１０８３と貼付板部１２０２，１２０３におけるねじ固定により行われている。
【００６９】
貼付板部１２０２，１２０３の外面は平坦面となっており、この外面には両貼付板部１２０２，１２０３を跨ぐようにして略矩形状の封印シール１２０１が折り曲げて貼り付けられる。詳細には、封印シール１２０１を断面が略コ字状に折り曲げられることで、両貼付板部１２０２，１２０３を跨ぐ構成となっている（図１３、図１４参照）。この場合に、両貼付板部１２０２，１２０３のねじ穴１２０４は封印シール１２０１により覆われる。
【００７０】
封印シール１２０１は、略矩形状のベースシートを備え、このベースシートの背面には粘着剤が塗布され粘着剤層が形成されている。また、粘着剤層の一部に対してアンテナ付きＩＣチップ（図示せず）が貼り付けられている。なお、粘着剤層の背面側に剥離シートを備えている。この剥離シートは封印シール１２０１を基板ボックス１０８に貼り付ける際に剥がされるものであり、封印シール１２０１の使用前に封印シール１２０１が不用意に貼り付かないようになっている。
【００７１】
封印シール１２０１のベースシートは、例えばポリエステル系フィルムなどの可撓性樹脂フィルムにより形成されており適度な脆性を有し、さらに溶剤や熱に対して反応性を有する。具体的には、粘着剤層を構成する粘着剤に対して溶解性を備えたトルエンなどがベースシートに塗布されると、ベースシートは変色する。また、粘着剤層の粘着力が低下する温度（例えば、５０℃）以上の熱が加えられた場合にもベースシートは変色する。これにより、基板ボックス１０８の貼付板部１２０２，１２０３から封印シール１２０１を不正に剥がそうとして溶剤がかけられたり、熱が加えられたりした場合、ベースシートが変色することで当該不正行為の痕跡を残すことができる。
【００７２】
封印シール１２０１の粘着剤層の粘着剤は、従来の封印シールと同様に、一旦貼り付けされた後に剥がされるとベースシートから剥がれる程度の粘着力は有している。従って、封印シール１２０１が剥がされた場合には、再度貼り付けるには粘着力が弱まり、さらには粘着剤層の一部が貼付板部１２０２，１２０３側に残ることになる。よって、封印シール１２０１を不正に剥がした痕跡を残すことができる。
【００７３】
アンテナ付きＩＣチップは、ＩＣチップ及びアンテナ部より構成されており、長尺状のアンテナ部の中央付近にＩＣチップが配置されている（図示していない）。ＩＣチップは集積回路として形成されるものであり、制御部及びメモリー領域を有する。メモリー領域には、識別データとしてのＩＤ情報が格納されている。アンテナ部は、アルミ等の金属薄層で形成されており、その厚みはＩＣチップの厚みよりも薄い。また、アンテナ部は、共振周波数が一定周波数となるようにアンテナパターンとして作製されている。
【００７４】
ＩＣチップのＩＤ情報は、制御部によって呼び出されてアンテナ部から発信することができるように構成されており、アンテナ部から発信されたＩＤ情報をリーダー／ライターとして形成されるスキャナーで受信して読み取ることができるようになっている。詳細には、スキャナーからは周波数の微弱な電波で呼び出しが行われるようになっており、この電波で誘導電磁界が形成される。そして誘導電磁界内にアンテナ部が位置する程度に、スキャナーをアンテナ部に近接させると、アンテナ部に電磁誘導で起電力が発生する。ＩＣチップではこの起電力を電源として、メモリー領域に格納されているＩＤ情報を制御部で呼び出してアンテナ部から送信することができ、このように発信されたＩＤ情報をスキャナーで受信して読み取ることができる。
【００７５】
アンテナ付きＩＣチップのアンテナ部は、粘着剤層が形成されたベースシートに対し、ベースシートの一隅部側からその対角方向の隅部側に亘って斜めに配置されている。詳細には、アンテナ部はベースシートの対角線上又は、アンテナ部の長手方向がベースシートの両対角線と交差するように配置されている。この場合、長尺状のアンテナ部はその長手方向がベースシートのすべての辺方向と交差することとなる。そして、封印シール１２０１が両貼付板部１２０２，１２０３に跨って貼り付けられているのに伴って、アンテナ部も両貼付板部１２０２，１２０３に跨っている。
【００７６】
また、封印シール１２０１には、アンテナ部の長手方向に沿って等間隔で並ぶ多数のアンテナ用切り込みを形成することができる（図示していない）。アンテナ用切り込みは、アンテナ部の長手方向に対して略直交する方向に延びる直線状であり、ベースシートの表面側から粘着剤層の背面側まで貫通している。ちなみに、アンテナ用切り込みが延びる方向は、アンテナ部の長手方向に対して略直交する方向であるため、ベースシートのすべての辺方向と交差している。また、アンテナ用切り込みは、アンテナ部に若干掛かる構成となっている。この場合に、アンテナ部はアンテナ用切り込みにより分断されていないため、ＩＤ情報の送信に関して弊害は生じない。また、アンテナ用切り込みがアンテナ部を挟んで直線状に並ばないように、アンテナ部の一側に位置するアンテナ用切り込みと他側に位置するアンテナ用切り込みとはずらして形成されている。詳細には、アンテナ部の一側に位置するアンテナ用切り込みと他側に位置するアンテナ用切り込みとは、アンテナ部の長手方向に沿って交互に並ぶように形成されている。
【００７７】
封印シール１２０１の外縁には、図示していないが、外側端部から内側に向けて多数の外縁切り込みを形成したものでもよい。これら外縁切り込みは、内側から外側に向けて開くようにして鋭角のＶ字状となっており、さらに封印シール１２０１の外周に沿う方向に等間隔で形成されている。従って、基板ボックス１０８の貼付板部１２０２，１２０３から封印シール１２０１を剥がそうとすると、この剥がす力に伴う応力が外縁切り込みの内側端部（内側に尖った部位）に集中し、また上記のとおりベースシートが適度な脆性（封印シール１２０１を剥がす力に伴う応力によって一部が破壊される脆性）を有していることにより、封印シール１２０１に破れなどといった破壊が生じる。
【００７８】
特に、封印シール１２０１をその隅角から剥がしていくと、剥がす力に伴う応力がベースシートの隅角部分にある内側端部に集中し、ベースシートが対角線方向に大きく破壊されることとなる。また、封印シール１２０１は貼付板部１２０２，１２０３に対して断面が略コの字状に折り曲げて貼り付けられているので、封印シール１２０１をその隅角から剥がしていくと、剥がす力に伴う応力が折り曲げ部分に集中し、ベースシートが破壊されることとなる。
これにより、封印シール１２０１が剥がされたことの痕跡を残すことができ、主制御基板に対して不正行為が行われたことを容易に発見することができる。
【００７９】
さらに、封印シール１２０１の４隅には、ベースシートの表面側から粘着剤層の背面側まで貫通する隅側切り込みがそれぞれ形成したものでもよい。詳細には、隅側切り込みは、封印シール１２０１の隅角の内側にて当該隅角に沿うようにしてＬ字状に形成されている。よって、封印シール１２０１の隅角側から剥がされると、隅側切り込みから短辺及び長辺方向に大きな破壊が生じ、不正行為の痕跡を残すことができる。
【００８０】
しかし、上記のように外縁切り込みや隅側切り込みが形成された構成であっても、封印シール１２０１の一辺全体からその辺に直交する方向に沿って封印シール１２０１が剥がされると封印シール１２０１の破壊が生じ難い。即ち、封印シール１２０１をその角から剥がす場合や、封印シール１２０１の外縁における隣り合う外縁切り込み間を摘んで剥がす場合などは、剥がす力に伴う応力が少数の外縁切り込みの内側端部に集中するため、外縁切り込みを介した封印シール１２０１の破壊が生じ易い。一方、矩形状の封印シール１２０１の一辺全体からその辺に直交する方向に沿って剥がす場合には、剥がす力に伴う応力が多数の外縁切り込みの内側端部に分散されるため、外縁切り込みを介した封印シール１２０１の破壊が生じ難い。よって、後者の方式で封印シール１２０１が剥がされると、外縁切り込みでは不正の痕跡が残らない場合がある。
【００８１】
これに対して、上述したように、アンテナ部が封印シール１２０１の一隅部側からその対角方向の隅部側に亘って延びるようにして斜めに配置されている。また、封印シール１２０１の一辺に沿う方向はアンテナ部の延びる方向に対して交差する方向である。従って、剥がす力に伴う応力がアンテナ部の周囲に位置するアンテナ用切り込みの端部に集中することで、アンテナ用切り込みを介してベースシートが破壊され、それに伴ってアンテナ部が分断されることとなる。アンテナ部が分断されるとＩＤ情報がアンテナ部から送信されなくなるので、ＩＤ情報をスキャナーで読み取ることができなくなる。よって、封印シール１２０１を貼付板部１２０２，１２０３からきれいに剥がして基板ボックス１０８を開封し、主制御基板に対して不正を行った後に、基板ボックス１０８を封印して封印シール１２０１を再度きれいに貼ったとしても、当該不正行為を容易に発見することができる。
【００８２】
また、基板ボックス１０８は、主制御基板が取り付けられたボックスベース１０８１でのその主制御基板の取付面側にボックスカバー１０８２を合わせた状態でボックスベース１０８１又はボックスカバー１０８２の少なくとも一方を当該合わせ面所定方向にスライド移動させることでボックスベース１０８１とボックスカバー１０８２とを係止する係止部材１０８３を備えている。
【実施例１】
【００８３】
＜封印シール切断構造＞
図１３は実施例１の封印シール切断構造を具備した基板ボックス１０８をボックスベース１０８１側から視認した状態を示す部分分解斜視図である。図１４は実施例１の封印シール切断構造を具備した基板ボックス１０８をボックスカバー１０８２側から視認した状態を示す部分分解斜視図である。図１５は封印シール切断構造の可動切断部１２０５をボックスベース１０８１に取り付けた状態を示す分解部分斜視図である。
実施例１の封印シール１２０１を切断する封印シール切断構造は、ボックスベース１０８１の貼付板部１２０２と、ボックスカバー１０８２の貼付板部１２０３の間に可動切断部１２０５が配置されたものである。この可動切断部１２０５は貼付板部１２０２裏面側に可動自在に取り付けられたものである。
【００８４】
可動切断部１２０５は図１３に示すように、複数の刃部１２０６を押圧板１２０７に並列するように形成した部材である。この可動切断部１２０５の各刃部１２０６は、ボックスベース１０８１の貼付板部１２０２の板面に開けたスリット１２０８から出没自在になる。個々の刃部１２０６は、全体が略三角形状になり、その１辺に封印シール１２０１を切断する刃を、刃が形成されていない辺は押圧板１２０７の板面に垂直に所定の間隔をあけて取り付けられる。刃部１２０６と押圧板１２０７とは別体の構成であっても、一体的な構成であってもよい。
図示例では４枚の刃部１２０６を設けているが、この枚数に限定されない。貼付板部１２０２に開けたスリット１２０８の本数と合わせて３本又は５本以上と自由に選択できる。但し、刃部１２０６の本数が１本又は２本のように極端に少ないと、切断部分を精緻に接続しやすくなる。
【００８５】
このスリット１２０８の本数も可動切断部１２０５の４枚の刃部１２０６に合わせて４本形成したものを図示したが、この刃部１２０６の本数とスリット１２０８の本数が整合していれば問題はない。但し、刃部１２０６の本数がスリット１２０８の本数より少ない時は問題はないが、その逆に刃部１２０６の本数がスリット１２０８の本数より多いと、刃部１２０６がスリット１２０８の間から飛び出すことができなくなる。
【００８６】
可動切断部１２０５は、その一部分（回動支持部）で回動自在に取り付ける。図１４に示すように、可動切断部１２０５は、貼付板部１２０２の内側（封印シール１２０１が貼り付けられない面）に、押圧板１２０７の２箇所で揺動自在に取り付ける。貼付板部１２０２の内側面に軸受１２０９を２箇所設け、この間に可動切断部１２０５の押圧板１２０７から２箇所直線状に突出させた軸部１２１０を回動自在に掛け止め、回動支持部（軸受１２０９、軸部１２１０）を構成する。
【００８７】
この回動支持部（軸受１２０９、軸部１２１０）に近い可動切断部１２０５の刃部１２０６は押圧板１２０７からの立ち上がりが低く（刃部１２０６の突出量が短く）、この回動支持部から遠い位置は立ち上がりを高く（刃部１２０６の突出量が長く）形成する。そこで、この回動支持部を回動中心にスリット１２０８から飛び出す刃部１２０６の刃先が、このスリット１２０８面から飛び出すようになる。
【００８８】
刃部１２０６は、封印シール１２０１を切断しやすいように鋭利にすることが好ましい。但し、基板ボックス１０８を組み立てる作業に際して、指が触れても怪我しないように、ナイフ、カミソリの刃程度に鋭利にする必要はない。上述したように刃部１２０６の刃先が、スリット１２０８面と略平行に飛び出すようにすることで、鋭利な角部の飛び出しをなくして更に安全に取り扱うことができる。
【００８９】
図示例では、可動切断部１２０５を、ボックスベース１０８１の貼付板部１２０２の裏面側（内側）に取り付けた構成を示している。また、可動切断部１２０５の刃部１２０６が出没するスリット１２０８も同じボックスベース１０８１の貼付板部１２０２に形成している。しかし、この構成に限定されず、可動切断部１２０５をボックスカバー１０８２の貼付板部１２０３の裏面側（内側）に取り付け、この貼付板部１２０３にスリット１２０８を形成する、逆の配置にすることも可能である。
【００９０】
＜封印シール切断構造の動作状態＞
図１６は封印シール１２０１を貼り付けたボックスベース１０８１からボックスカバー１０８２をスライド移動させる前の状態を示す部分斜視図である。図１７は封印シール１２０１を貼り付けていないボックスベース１０８１からボックスカバー１０８２をスライド移動させると同時に可動切断部１２０５が回動した状態を示す部分斜視図である。図１８は実施例１の封印シール切断構造の動作状態を示す部分拡大断面図であり、（ａ）は刃部１２０６が封印シール１２０１を切断する前の状態、（ｂ）は刃部１２０６が封印シール１２０１を切断する初期状態、（ｃ）は刃部１２０６が封印シール１２０１を大きく切断した状態である。
【００９１】
可動切断部１２０５の押圧板１２０７は、ボックスベース１０８１又はボックスカバー１０８２の少なくとも一方を当該合わせ面所定方向にスライド移動させて分離する際に可動するようになっている。図１６、図１８（ａ）に示すようなスライド移動させる前の状態では、可動切断部１２０５は両貼付板部１２０２、１２０３内で動作せず、封印シール１２０１は切断されない状態にある。
【００９２】
次に、図１８（ｂ）に示すように、ボックスベース１０８１又はボックスカバー１０８２の少なくとも一方を当該合わせ面所定方向にスライド移動させると、可動切断部１２０５の押圧板１２０７は、他方のボックスカバー１０８２の貼付板部１２０３の縁部１２１１に当たり、回動支持部（軸受１２０９、軸部１２１０）を回転中心にして押され、押圧板１２０７に取り付けられた略三角形状の刃部１２０６が貼付板部１２０２の各スリット１２０８から飛び出すようになる。このとき各スリット１２０８から飛び出す刃部１２０６によって封印シール１２０１が切断される。
【００９３】
更に、図１７、図１８（ｃ）に示すように、ボックスベース１０８１からボックスカバー１０８２を分離するまでスライド移動させると、刃部１２０６が貼付板部１２０２の各スリット１２０８から更に飛び出すようになる。各スリット１２０８から飛び出す刃部１２０６の突出量が長くなり、封印シール１２０１を広い範囲で切断することができる。
【００９４】
このように、封印シール１２０１を複数の刃部１２０６で数箇所を切断することができる。鋭利なカッターで封印シール１２０１を切断すると、鋭利な切断線を巧妙につなぎ合わせ、これを再利用されるおそれがある。そこで、本発明は封印シール１２０１の数箇所を切断するので、この切断部分を精緻に接続することができず、再度貼付することを防止することができる。見掛け上その封印シール１２０１が切断され、封印シール１２０１が不正に剥がされたこと、即ち、主制御基板に対して不正が行われたことの痕跡が明確に残ることとなる。
【００９５】
＜可動切断部１２０５の刃部１２０６の変形例（鋸状の刃部）＞
図１９は可動切断部１２０５の刃部１２０６の変形例を示す拡大断面図である。
可動切断部１２０５の刃部１２０６は、必ずしも直線状の刃の形態に限定されない。図１９に示すように鋸状にギザギザに形成したものでもよい。可動切断部１２０５の刃部１２０６はボックスベース１０８１又はボックスカバー１０８２の少なくとも一方を当該合わせ面所定方向にスライド移動させる際に、封印シール１２０１を切断することができる構造であれば良い。そこで、このような鋸状の刃部であれば、封印シール１２０１の切断面にギザギザ状、凹凸状の切り口が現れやすので、基板ボックス１０８を不正に開閉したことを発見しやすい。
【００９６】
この変形例の刃部１２０６についても、封印シール１２０１を切断しやすいように、ある程度の鋭利さは必要であるが、基板ボックス１０８の組み立て作業に際して、指が触れても怪我しない程度のもにする必要がある。
【００９７】
＜可動切断部１２０５の変形例（数本並べた突起部１２１２）＞
図２０は可動切断部１２０５の変形例を示す拡大断面図である。
可動切断部１２０５の刃部１２０６は、必ずしも直線状、鋸状の刃の形態に限定されない。図２０に示すように刃部１２０６に代えて突起部１２１２を複数本並べた構成でもよい。可動切断部１２０５の突起部１２１２はボックスベース１０８１又はボックスカバー１０８２の少なくとも一方を当該合わせ面所定方向にスライド移動させる際に、封印シール１２０１に複数の穴を開けることができる構造であれば良い。そこで、１枚の刃部１２０６に代えて突起部１２１２を複数本並べた構成にした。例えば、２本ずつ４列の計８本の突起部１２１２を押圧板１２０７に取り付けた構成でも良い。勿論のこの本数に限定されない。
【００９８】
この可動切断部１２０５の変形例では、上述した貼付板部１２０２に設けたスリット１２０８に代えて、複数の貫通孔１２１３を貼付板部１２０２に形成した。文房具のパンチのような構成になり、押圧板１２０７に取り付けた突起部１２１２が、各貫通孔１２１３に挿入される構造になる。このように数本並べた突起部１２１２の構造であれば、封印シール１２０１に複数の円形状の切り口が現れやすので、基板ボックス１０８を不正に開閉したことを発見しやすい。
なお、ボックスベース１０８１の貼付板部１２０２はスリット１２０８のままでも問題ない。このような数本並べた突起部１２１２の構成であれば、封印シール１２０１に複数の穴を開けるように切断し、基板ボックス１０８を不正に開閉したことを発見しやすい。
【実施例２】
【００９９】
＜貼付板部１２０２、１２０３の接合部における封印シール切断構造＞
図２１は実施例２の封印シール切断構造を示す貼付板部１２０２，１２０３の端部の側面図である。図２２は実施例２の封印シール切断構造の切断状態を示す拡大断面図である。
実施例２の封印シール切断構造は、一方の貼付板部１２０２の端部に第１凹凸部１２１４を形成し、この第１凹凸部１２１４と噛合する第２凹凸部１２１５を他方の貼付板部１２０３に形成した切断構造である。図２１に示すように、ボックスベース１０８１の貼付板部１２０２の端部の壁面を接合側に立ち上げた形状になり、その壁面の形状を直角形状を並べたクランク形状の第１凹凸部１２１４とした。同様に、ボックスカバー１０８２の貼付板部１２０３の端部の壁面も直角形状を並べたクランク形状の第２凹凸部１２１５にした。この第１凹凸部１２１４と第２凹凸部１２１５とが噛合する部分を被覆するように封印シール１２０１を両貼付板部１２０２，１２０３全体に貼り付ける。ここで第１凹凸部１２１４、第２凹凸部１２１５と称しているのは形成箇所を特定すためであり、その形状は略同様な形状のものである。
【０１００】
図示例では第２凹凸部１２１５をボックスカバー１０８２の貼付板部１２０３の端部の壁面に形成した状態を示している。しかし、第１凹凸部１２１４は図示するようにボックスベース１０８１の貼付板部１２０２の端部（壁面）に形成する構成に限らず、必要に応じて可動切断部１２０５の押圧板１２０７に形成することも可能である。
【０１０１】
このように両貼付板部１２０２、１２０３の端部に形成した第１凹凸部１２１４と第２凹凸部１２１５は、ボックスベース１０８１とボックスカバー１０８２とをスライド移動させると、この両貼付板部１２０２、１２０３に貼付されている封印シール１２０１を、第１凹凸部１２１４と第２凹凸部１２１５の噛合状態に沿って複雑に切断することができる。
【０１０２】
しかも、実施例１の可動切断部１２０５による数本の切断箇所と同時に、封印シール１２０１の２面を大きく複雑に切断することができる。そこで、封印シール１２０１の２面を大きく複雑に切断することで、基板ボックス１０８を不正に開閉したことを発見しやすくなる。
【０１０３】
＜貼付板部１２０２、１２０３の接合部における封印シール切断構造の変形例＞
図２３は実施例２の封印シール切断構造の変形例を示す接合面の概略正面図であり、（ａ）は三角形を並べたもの、（ｂ）は半円を並べたもの、（ｃ）は複雑な形状にしたものである。
実施例２の封印シール切断構造は、両貼付板部１２０２、１２０３の端部において封印シール１２０１を複雑に切断する構造になる。この第１凹凸部１２１４と第２凹凸部１２１５の噛合する形状は図２１に示したような直角形状を並べたクランク形状に限定されない。図２３（ａ）のように大きな鋸状の三角形を並べたもの、図２３（ｂ）のように半円を並べたもの、図２３（ｃ）のように複雑な形状にしたものにすることも可能である。このような任意の形状にすることでも、両貼付板部１２０２、１２０３に貼付されている封印シール１２０１を、第１凹凸部１２１４と第２凹凸部１２１５の噛合状態に沿って複雑に切断することができる。
【０１０４】
＜基板ボックス１０８＞
図２４は本発明の封印シール切断構造を具備した基板ボックス１０８を示す正面図である。図２５は本発明の封印シール切断構造を具備した基板ボックス１０８を示す斜視図である。ここの基板ボックス１０８及びその構成する部品について、実施例１で示した構成と略同じ構成のものは、同じ符号を付して詳細な説明は省略する。
本発明の封印シール切断構造を具備した基板ボックス１０８は、その内部に、所定の遊技に関する制御を司る主制御基板（図示省略）を収容している。主制御基板は、パチンコ機１０を統括制御しており、始動入賞に基づく遊技内容処理や遊技球の払出など種々の制御を行っている。
【０１０５】
基板ボックス１０８は、図２４，図２５に示すように、主制御基板が取り付けられるボックスベース１０８１と、このボックスベース１０８１と合わされるボックスカバー１０８２とを備えている。主制御基板が取り付けられたボックスベース１０８１に、その制御基板取付面側にボックスカバー１０８２を合わせることで形成される内部空間内に、主制御基板を収容する。なお、主制御基板は、そのＣＰＵやＲＯＭやＲＡＭなどの各種電子部品が実装された実装面をボックスベース１０８１に向け、その電子部品を取り付けるための半田面をボックスカバー１０８２に向けて、基板ボックス１０８内に収容されている。
【０１０６】
本実施例では、図２４，図２５に示すように、ボックスベース１０８１は、例えばその外形が前面視で略直方体形状で、主制御基板が挿入される開口部を有する有底箱形状となっている。また、ボックスカバー１０８２はボックスベース１０８１の開口部を覆うためのものである。ボックスベース１０８１およびボックスカバー１０８２は、例えば透明樹脂成型品である。
【０１０７】
また、基板ボックス１０８は、後述する図２６、図２７等に示すように、主制御基板が取り付けられたボックスベース１０８１で、その主制御基板の取付面側にボックスカバー１０８２を合わせた状態でボックスベース１０８１又はボックスカバー１０８２の少なくとも一方を当該合わせ面所定方向にスライド移動させることでボックスベース１０８１とボックスカバー１０８２とを係止する係止部材１０８３を備えている。
【０１０８】
係止部材１０８３は、図２６、図２７等に示すように、ボックスベース１０８１でのスライド方向に平行な両辺（上面および下面）箇所にその辺方向に複数個配設された係止爪１０８４と、ボックスカバー１０８２でのスライド方向に平行な両辺箇所にその辺方向に複数個配設されて係止爪１０８４が係止される被係止部１０８５とを備えている。係止爪１０８４は、ボックスベース１０８１からボックスカバー１０８２の方に突出する鉤部を備えている。
【０１０９】
被係止部１０８５は、図２６、図２７等に示すように、係止爪１０８４の鉤部が挿入された状態でボックスベース１０８１とボックスカバー１０８２とのスライドを制止する。
具体的には、ボックスベース１０８１の開口部をほぼ覆うようにボックスカバー１０８２を合わせた状態で、このボックスベース１０８１とボックスカバー１０８２とは相対的に係止爪１０８４の鉤部の先端部分の長さ程度にスライド可能であり、この鉤部の先端部分の長さ程度にスライド移動させると、ボックスベース１０８１の開口部をボックスカバー１０８２で閉塞した状態に合わせた位置となり、ボックスベース１０８１とボックスカバー１０８２とのスライドが停止する構成としている。
【０１１０】
＜封印シール１２０１＞
基板ボックス１０８を構成するボックスベース１０８１には封印シール１２０１を貼り付けるための貼付板部１２０２が形成されている。この貼付板部１２０２は、ボックスベース１０８１の短辺側に沿うようにして略板状に形成されている。
また、ボックスベース１０８１に形成された貼付板部１２０２に対応させてボックスカバー１０８２にも同様の貼付板部１２０３が形成されており、両貼付板部１２０２，１２０３は隙間をあけて配置されている（図２６参照）。これら両貼付板部１２０２，１２０３には、厚み方向に貫通するねじ穴１２０４が形成されており、ねじにより両貼付板部１２０２，１２０３（ボックスベース１０８１及びボックスカバー１０８２）が固定されている。即ち、ボックスベース１０８１とボックスカバー１０８２との固定は、係止部材１０８３と貼付板部１２０２，１２０３におけるねじ固定により行われている。
【０１１１】
貼付板部１２０２，１２０３の外面は平坦面となっており、この外面には両貼付板部１２０２，１２０３を跨ぐようにして略矩形状の封印シール１２０１が折り曲げて貼り付けられる。詳細には、後述するように封印シール１２０１を断面が、先が狭まった略コ字状に折り曲げられることで、両貼付板部１２０２，１２０３を跨ぐ構成となっている（図２６、図２７参照）。この場合に、両貼付板部１２０２，１２０３のねじ穴１２０４は封印シール１２０１により覆われる。
【０１１２】
封印シール１２０１は、略矩形状のベースシートを備え、このベースシートの背面には粘着剤が塗布され粘着剤層が形成されている。また、粘着剤層の一部に対してアンテナ付きＩＣチップ（図示せず）が貼り付けられている。なお、粘着剤層の背面側に剥離シートを備えている。この剥離シートは封印シール１２０１を基板ボックス１０８に貼り付ける際に剥がされるものであり、封印シール１２０１の使用前に封印シール１２０１が不用意に貼り付かないようになっている。
【０１１３】
封印シール１２０１のベースシートは、例えばポリエステル系フィルムなどの可撓性樹脂フィルムにより形成されており適度な脆性を有し、さらに溶剤や熱に対して反応性を有する。具体的には、粘着剤層を構成する粘着剤に対して溶解性を備えたトルエンなどがベースシートに塗布されると、ベースシートは変色する。また、粘着剤層の粘着力が低下する温度（例えば、５０℃）以上の熱が加えられた場合にもベースシートは変色する。これにより、基板ボックス１０８の貼付板部１２０２，１２０３から封印シール１２０１を不正に剥がそうとして溶剤がかけられたり、熱が加えられたりした場合、ベースシートが変色することで当該不正行為の痕跡を残すことができる。
【０１１４】
封印シール１２０１の粘着剤層の粘着剤は、従来の封印シールと同様に、一旦貼り付けされた後に剥がされるとベースシートから剥がれる程度の粘着力を有している。従って、封印シール１２０１が剥がされた場合には再度貼り付けすることが不可能なものであり、さらには粘着剤層の一部が貼付板部１２０２，１２０３側に残ることとなる。よって、封印シール１２０１を不正に剥がした痕跡を残すことができる。
【０１１５】
アンテナ付きＩＣチップは、ＩＣチップ及びアンテナ部より構成されており、長尺状のアンテナ部の中央付近にＩＣチップが配置されている（図示していない）。ＩＣチップは集積回路として形成されるものであり、制御部及びメモリー領域を有する。メモリー領域には、識別データとしてのＩＤ情報が格納されている。アンテナ部は、アルミ等の金属薄層で形成されており、その厚みはＩＣチップの厚みよりも薄い。また、アンテナ部は、共振周波数が一定周波数となるようにアンテナパターンとして作製されている。
【０１１６】
ＩＣチップのＩＤ情報は、制御部によって呼び出されてアンテナ部から発信することができるように構成されており、アンテナ部から発信されたＩＤ情報をリーダー／ライターとして形成されるスキャナーで受信して読み取ることができるようになっている。詳細には、スキャナーからは周波数の微弱な電波で呼び出しが行われるようになっており、この電波で誘導電磁界が形成される。そして誘導電磁界内にアンテナ部が位置する程度に、スキャナーをアンテナ部に近接させると、アンテナ部に電磁誘導で起電力が発生する。ＩＣチップではこの起電力を電源として、メモリー領域に格納されているＩＤ情報を制御部で呼び出してアンテナ部から送信することができ、このように発信されたＩＤ情報をスキャナーで受信して読み取ることができる。
【０１１７】
アンテナ付きＩＣチップのアンテナ部は、粘着剤層が形成されたベースシートに対し、ベースシートの一隅部側からその対角方向の隅部側に亘って斜めに配置されている。詳細には、アンテナ部はベースシートの対角線上又は、アンテナ部の長手方向がベースシートの両対角線と交差するように配置されている。この場合、長尺状のアンテナ部はその長手方向がベースシートのすべての辺方向と交差することとなる。そして、封印シール１２０１が両貼付板部１２０２，１２０３に跨って貼り付けられているのに伴って、アンテナ部も両貼付板部１２０２，１２０３に跨っている。
【０１１８】
また、封印シール１２０１には、アンテナ部の長手方向に沿って等間隔で並ぶ多数のアンテナ用切り込みを形成することができる（図示していない）。アンテナ用切り込みは、アンテナ部の長手方向に対して略直交する方向に延びる直線状であり、ベースシートの表面側から粘着剤層の背面側まで貫通している。ちなみに、アンテナ用切り込みが延びる方向は、アンテナ部の長手方向に対して略直交する方向であるため、ベースシートのすべての辺方向と交差している。また、アンテナ用切り込みは、アンテナ部に若干掛かる構成となっている。この場合に、アンテナ部はアンテナ用切り込みにより分断されていないため、ＩＤ情報の送信に関して弊害は生じない。また、アンテナ用切り込みがアンテナ部を挟んで直線状に並ばないように、アンテナ部の一側に位置するアンテナ用切り込みと他側に位置するアンテナ用切り込みとはずらして形成されている。詳細には、アンテナ部の一側に位置するアンテナ用切り込みと他側に位置するアンテナ用切り込みとは、アンテナ部の長手方向に沿って交互に並ぶように形成されている。
【０１１９】
封印シール１２０１の外縁には、図示していないが、外側端部から内側に向けて多数の外縁切り込みを形成したものでもよい。これら外縁切り込みは、内側から外側に向けて開くようにして鋭角のＶ字状となっており、さらに封印シール１２０１の外周に沿う方向に等間隔で形成されている。従って、基板ボックス１０８の貼付板部１２０２，１２０３から封印シール１２０１を剥がそうとすると、この剥がす力に伴う応力が外縁切り込みの内側端部（内側に尖った部位）に集中し、また上記のとおりベースシートが適度な脆性（封印シール１２０１を剥がす力に伴う応力によって一部が破壊される脆性）を有していることにより、封印シール１２０１に破れなどといった破壊が生じる。
【０１２０】
特に、封印シール１２０１をその隅角から剥がしていくと、剥がす力に伴う応力がベースシートの隅角部分にある内側端部に集中し、ベースシートが対角線方向に大きく破壊されることとなる。また、封印シール１２０１は貼付板部１２０２，１２０３に対して断面が略コの字状に折り曲げて貼り付けられているので、封印シール１２０１をその隅角から剥がしていくと、剥がす力に伴う応力が折り曲げ部分に集中し、ベースシートが破壊されることとなる。
これにより、封印シール１２０１が剥がされたことの痕跡を残すことができ、主制御基板に対して不正行為が行われたことを容易に発見することができる。
【０１２１】
さらに、封印シール１２０１の４隅には、ベースシートの表面側から粘着剤層の背面側まで貫通する隅側切り込みがそれぞれ形成したものでもよい。詳細には、隅側切り込みは、封印シール１２０１の隅角の内側にて当該隅角に沿うようにしてＬ字状に形成されている。よって、封印シール１２０１の隅角側から剥がされると、隅側切り込みから短辺及び長辺方向に大きな破壊が生じ、不正行為の痕跡を残すことができる。
【０１２２】
しかし、上記のように外縁切り込みや隅側切り込みが形成された構成であっても、封印シール１２０１の一辺全体からその辺に直交する方向に沿って封印シール１２０１が剥がされると封印シール１２０１の破壊が生じ難い。即ち、封印シール１２０１をその角から剥がす場合や、封印シール１２０１の外縁における隣り合う外縁切り込み間を摘んで剥がす場合などは、剥がす力に伴う応力が少数の外縁切り込みの内側端部に集中するため、外縁切り込みを介した封印シール１２０１の破壊が生じ易い。一方、矩形状の封印シール１２０１の一辺全体からその辺に直交する方向に沿って剥がす場合には、剥がす力に伴う応力が多数の外縁切り込みの内側端部に分散されるため、外縁切り込みを介した封印シール１２０１の破壊が生じ難い。よって、後者の方式で封印シール１２０１が剥がされると、外縁切り込みでは不正の痕跡が残らない場合がある。
【０１２３】
これに対して、上述したように、アンテナ部が封印シール１２０１の一隅部側からその対角方向の隅部側に亘って延びるようにして斜めに配置されている。また、封印シール１２０１の一辺に沿う方向はアンテナ部の延びる方向に対して交差する方向である。従って、剥がす力に伴う応力がアンテナ部の周囲に位置するアンテナ用切り込みの端部に集中することで、アンテナ用切り込みを介してベースシートが破壊され、それに伴ってアンテナ部が分断されることとなる。アンテナ部が分断されるとＩＤ情報がアンテナ部から送信されなくなるので、ＩＤ情報をスキャナーで読み取ることができなくなる。よって、封印シール１２０１を貼付板部１２０２，１２０３からきれいに剥がして基板ボックス１０８を開封し、主制御基板に対して不正を行った後に、基板ボックス１０８を封印して封印シール１２０１を再度きれいに貼ったとしても、当該不正行為を容易に発見することができる。
【０１２４】
また、基板ボックス１０８は、主制御基板が取り付けられたボックスベース１０８１でのその主制御基板の取付面側にボックスカバー１０８２を合わせた状態でボックスベース１０８１又はボックスカバー１０８２の少なくとも一方を当該合わせ面所定方向にスライド移動させることでボックスベース１０８１とボックスカバー１０８２とを係止する係止部材１０８３を備えている。
【実施例３】
【０１２５】
＜引掻き型封印シール切断構造＞
図２６は実施例３の封印シール切断構造を具備した基板ボックス１０８をボックスベース１０８１側から視認した状態を示す部分分解斜視図である。図２７は実施例３の封印シール切断構造を具備した基板ボックス１０８をボックスカバー１０８２側から視認した状態を示す部分分解斜視図である。
実施例３の封印シール１２０１を切断する封印シール切断構造は、ボックスカバー１０８２の貼付板部１２０３に設けた複数本の刃先部１２２２を有する切断刃構造１２２１と、ボックスベース１０８１の貼付板部１２０２に設けた複数の傾斜スリット１２２３とからなる。この切断刃構造１２２１の各刃先部１２２２は、各傾斜スリット１２２３間で移動自在になる。
【０１２６】
このボックスベース１０８１の貼付板部１２０２に形成した複数本の傾斜スリット１２２３は、図２６に示すように、その横断面がここを移動する刃先部１２２２が飛び出す高さ位置と飛び出さない高さ位置とを有する形状になる。即ち、ボックスベース１０８１の貼付板部１２０２の端縁側（図示の右側）が厚く、ボックスベース１０８１側（図示の左側）に向けて薄くなる形状である。傾斜スリット１２２３を形成した貼付板部１２０２の板面は、ボックスベース１０８１とボックスカバー１０８２のスライド方向に対して傾斜した状態になり、ここに複数の傾斜スリット１２２３を形成した。
【０１２７】
このように複数の傾斜スリット１２２３を形成した理由は、傾斜スリット１２２３から各刃先部１２２２が飛び出る構成のほうが、封印シール１２０１を切断しやすいからである。また、貼着していない部分を少なくしたいからである。このような傾斜スリット１２２３を形成せずに、貼付板部１２０２を大きく切り欠いた形状にすると、切断刃構造１２２１の各刃先部１２２２が当たっても封印シール１２０１が延びて、これを複雑に切断できないおそれがあるからである。また、貼付板部１２０２に大きな切り欠きがあると、貼付板部１２０２、１２０３に大きな空間が形成され、運搬時、取付作業の際に貼り付けた封印シール１２０１に鋭利なもの又は角部が当たると不用意に破断するおそれがあるからである。
【０１２８】
切断刃構造１２２１は、図２６に示すように複数本の刃先部１２２２を、ボックスカバー１０８２の貼付板部１２０３の端縁に、該貼付板部１２０３の内面側（ボックスベース１０８１側）に向けて形成した部材である。各刃先部１２２２は貼付板部１２０３の端縁から複数本立ち上げた状態に形成した。例えば、各刃先部１２２２の太さは、傾斜スリット１２２３の幅より狭い太さにする。刃先部１２２２は傾斜スリット１２２３間で移動自在になれば十分であり、刃先部１２２２の太さと傾斜スリット１２２３の幅との関係は厳密にする必要はない。また、図示例では６本の刃先部１２２２を設けているが、この本数に限定されない。貼付板部１２０２に開けた傾斜スリット１２２３の本数と合わせて３本又は５本以上と自由に選択できる。但し、刃先部１２２２の本数が１本又は２本のように極端に少ないと、切断部分を精緻に接続しやすくなる。
【０１２９】
図２８は封印シール切断構造をボックスベース１０８１に取り付けた状態を示す分解部分斜視図である。図２９は金属刃１２２４を示す拡大斜視図である。
図示するように、実施例３では切断刃構造１２２１には、刃先部１２２２に相当する数の金属製の刃先を形成した略櫛の形状になる金属刃１２２４を取り付けている。この金属刃１２２４を用いることで、封印シール１２０１を容易に切断することができる。金属刃１２２４は、図２９の拡大斜視図に示すように、横断面が略Ｌ字形状になり、Ｌ字の曲折した部分が横板部１２２５になり、この横板部１２２５が貼付板部１２０３の端部に設けた、凹部形状になるポケット部１２２７内で嵌合固定されるようになっている。
【０１３０】
金属刃１２２４のＬ字の上部分に複数の刃先１２２６を形成した。各刃先１２２６は封印シール１２０１を捉えやすいように、移動方向に向けて若干傾斜している。金属刃１２２４の各刃先１２２６は、切断刃構造１２２１の各刃先部１２２２と重なるように、略同じ太さと長さになるように揃えている。この金属刃１２２４は、封印シール１２０１を容易に切断できるようにする機能と共に、樹脂製の切断刃構造１２２１の刃先部１２２２を補強する機能を合わせ持つ。
【０１３１】
なお、切断刃構造１２２１が剛性を有する硬質な樹脂で成形したものであれば、金属刃１２２４を取り付けない状態でもよい。このときの切断刃構造１２２１の樹脂製の刃先部１２２２は、封印シール１２０１を容易に切断できるように鋭利にすることが好ましい。但し、基板ボックス１０８を組み立てる作業に際して、指が触れても怪我しないように、ナイフ、カミソリの刃程度に鋭利にする必要はない。上述したように刃先部１２２２が、傾斜スリット１２２３から飛び出すことで、封印シール１２０１を切断できるからである。
【０１３２】
図示例では、切断刃構造１２２１の刃先部１２２２（金属刃１２２４）を、ボックスベース１０８１の貼付板部１２０２の裏面側（内側）に取り付けた構成を示している。また切断刃構造１２２１の刃先部１２２２が飛び出す傾斜スリット１２２３はボックスカバー１０８２の貼付板部１２０３に形成している。しかし、この構成に限定されず、切断刃構造１２２１の刃先部１２２２（金属刃１２２４）を、ボックスカバー１０８２の貼付板部１２０３の裏面側（内側）に取り付けた構成を示している。また切断刃構造１２２１の刃先部１２２２が飛び出す傾斜スリット１２２３はボックスベース１０８１の貼付板部１２０２に形成する、逆の配置にすることも可能である。
【０１３３】
＜封印シール切断構造の動作状態＞
図３０はボックスベース１０８１からボックスカバー１０８２をスライド移動させる前の状態を示す部分斜視図である。図３１はボックスベース１０８１からボックスカバー１０８２をスライド移動させると同時に切断刃構造１２２１が封印シール１２０１を切断した状態を示す部分斜視図である。図３２は実施例３の切断刃構造１２２１の動作状態を示す部分拡大断面図であり、（ａ）は刃先部１２２２が封印シール１２０１を切断する前の状態、（ｂ）は刃先部１２２２が封印シール１２０１を大きく切断した状態である。
切断刃構造１２２１の刃先部１２２２（金属刃１２２４）は、ボックスベース１０８１又はボックスカバー１０８２の少なくとも一方を当該合わせ面所定方向にスライド移動させて分離する際に、傾斜スリット１２２３から飛び出すようになっている。図３０と図３２（ａ）に示すようなスライド移動させる前の状態では、切断刃構造１２２１の刃先部１２２２（金属刃１２２４）は両貼付板部１２０２、１２０３内で突出しない。即ち、封印シール１２０１は切断されない状態にある。
【０１３４】
次に、図３１と図３２（ｂ）に示すように、ボックスベース１０８１又はボックスカバー１０８２の少なくとも一方を当該合わせ面所定方向にスライド移動させると、文字通り傾斜している傾斜スリット１２２３の間隔の狭い位置まで移動した各刃先部１２２２は、その位置の傾斜スリット１２２３間から飛び出すようになる。この飛び出した各刃先部１２２２（金属刃１２２４）によって封印シール１２０１を引っ掻くように切断する。
【０１３５】
切断刃構造１２２１は貼付板部１２０２の傾斜した傾斜スリット１２２３から刃先部１２２２（金属刃１２２４）が飛び出すことにより、その刃先部１２２２（金属刃１２２４）が封印シール１２０１に当たり、更にスライド移動させていくと、この刃先部１２２２（金属刃１２２４）が大きく飛び出し、封印シール１２０１をその移動距離の長さ分を引っ掻くように切断することができる。
【０１３６】
このように、封印シール１２０１を複数の刃先部１２２２（金属刃１２２４）で数箇所を切断することができ、しかも引っ掻くように切断する。鋭利なカッターで封印シール１２０１を切断すると、鋭利な切断線を巧妙につなぎ合わせ、これを再利用されるおそれがある。そこで、本発明は封印シール１２０１の数箇所を切断するので、この切断部分を精緻に接続することができず、再度貼付することを防止することができる。見掛け上その封印シール１２０１が切断され、封印シール１２０１が不正に剥がされたこと、即ち、主制御基板に対して不正が行われたことの痕跡が明確に残ることとなる。
【実施例４】
【０１３７】
＜貼付板部１２０２、１２０３の接合部における封印シール切断構造＞
図３３は実施例４の封印シール切断構造を示す貼付板部１２０２，１２０３の端部の側面図である。図３４は実施例４の封印シール切断構造の切断状態を示す拡大断面図である。
実施例４の封印シール切断構造は、一方の貼付板部１２０２の端部に第１凹凸部１２１４を形成し、この第１凹凸部１２１４と噛合する第２凹凸部１２１５を他方の貼付板部１２０３に形成した切断構造である。図３３に示すように、ボックスベース１０８１の貼付板部１２０２の端部の壁面を接合側に立ち上げた形状になり、その壁面の形状を直角形状を並べたクランク形状の第１凹凸部１２１４とした。同様に、ボックスカバー１０８２の貼付板部１２０３の端部の壁面も直角形状を並べたクランク形状の第２凹凸部１２１５にした。この第１凹凸部１２１４と第２凹凸部１２１５とが噛合する部分を被覆するように封印シール１２０１を両貼付板部１２０２，１２０３全体に貼り付ける。ここで第１凹凸部１２１４、第２凹凸部１２１５と称しているのは形成箇所を特定すためであり、その形状は略同様な形状のものである。
【０１３８】
このように両貼付板部１２０２、１２０３の端部に形成した第１凹凸部１２１４と第２凹凸部１２１５は、ボックスベース１０８１とボックスカバー１０８２とをスライド移動させると、この両貼付板部１２０２、１２０３に貼付されている封印シール１２０１を、第１凹凸部１２１４と第２凹凸部１２１５の噛合状態に沿って複雑に切断することができる。
【０１３９】
しかも、実施例１の可動切断部１２０５、又は実施例３の切断刃構造１２２１による数本の切断箇所と同時に、封印シール１２０１の２面を大きく複雑に切断することができる。そこで、封印シール１２０１の２面を大きく複雑に切断することで、基板ボックス１０８を不正に開閉したことを発見しやすくなる。
【０１４０】
＜貼付板部１２０２、１２０３の接合部における封印シール切断構造の変形例＞
図３５は実施例４の封印シール切断構造の変形例を示す接合面の概略正面図であり、（ａ）は三角形を並べたもの、（ｂ）は半円を並べたもの、（ｃ）は複雑な形状にしたものである。
実施例４の封印シール切断構造は、両貼付板部１２０２、１２０３の端部において封印シール１２０１を複雑に切断する構造になる。この第１凹凸部１２１４と第２凹凸部１２１５の噛合する形状は図３３に示したような直角形状を並べたクランク形状に限定されない。図３５（ａ）のように大きな鋸状の三角形を並べたもの、図３５（ｂ）のように半円を並べたもの、図３５（ｃ）のように複雑な形状にしたものにすることも可能である。このような任意の形状にすることでも、両貼付板部１２０２、１２０３に貼付されている封印シール１２０１を、第１凹凸部１２１４と第２凹凸部１２１５の噛合状態に沿って複雑に切断することができる。
【０１４１】
＜上記実施の形態から抽出される発明群について＞
以下、上述した実施の形態から抽出される発明群の特徴について、必要に応じて効果等を示しつつ説明する。なお以下においては、理解の容易のため、上記実施の形態において対応する構成を括弧書き等で適宜示すが、この括弧書き等で示した具体的構成に限定されるものではない。
【０１４２】
遊技機Ａは、パチンコ機、スロットマシンあるいはメダルの代わりに遊技球でスロットマシンの遊技をするパロット等の遊技機に関する。
【０１４３】
遊技機（パチンコ機）、スロットマシン等の遊技機には制御基板が備えられており、その制御基板によって電子的に遊技内容の制御が行われている。制御基板は、ＣＰＵ（ＣｅｎｔｒａｌＰｒｏｃｅｓｓｉｎｇＵｎｉｔ）、ＲＡＭ（ＲａｎｄｏｍＡｃｃｅｓｓＭｅｍｏｒｙ）、ＲＯＭ（ＲｅａｄＯｎｌｙＭｅｍｏｒｙ）、その他必要とされる集積回路やインターフェース回路を備えている。制御基板のＲＯＭには、遊技の制御内容を決めるデータが記憶されている。このＲＯＭを交換することにより、遊技の制御内容を変更する。また、制御基板自体を交換する。
【０１４４】
この制御基板は基板ボックス内に収容されている。この基板ボックスは、その内部に制御基板を被包して収容するためのボックスベースとボックスカバーとを備えている。また、この基板ボックスには、このボックスベースとボックスカバーとを封止するための封止機構を備えている。この封止機構は所定箇所を破壊することにより開封できる構造となっている。その封止機構を破壊してケースを開封した場合には、封止機構の破壊に基づいて開封の有無が確認できる。
【０１４５】
更に、基板ボックスを構成する一対のケース体の接合部に再貼付しづらいものであり、剥がすと痕跡が残る封印シールを貼付している。基板ボックスには、このような不正開封防止が図られている。
【０１４６】
この封印シールを用いた不正対策に関する技術について、例えば特許文献１の特開２０１１−１５６４３３の「遊技機」には、基板ボックスにおいて封止手段の存する箇所でのケースの境界面に、封印シールを貼付する構成が提案されている。
【０１４７】
【特許文献１】特開２０１１−１５６４３３
【０１４８】
しかし、このような不正対策が施されていても、未だに不正行為が行われる可能性がある。この封印シールを構成した制御基板装置であっても、開封の痕跡が残らないようにして巧妙に不正が行われる可能性がある。例えば封印シールについては、一旦剥がし、その後再び基板ボックスに貼り直して元の状態に戻す不正行為は発見しづらいという問題を有していた。
【０１４９】
本発明は、上述した問題点等を解決するために創案されたものである。すなわち、本発明の目的は、基板ボックスを構成する一対のケース体の接合部に再貼付不可能な封印シールを貼付し、基板ボックスを開閉する際に封印シールが切断される構成にすることで、制御基板に対する不正を防止すると共に、その不正の痕跡を容易に発見することができる遊技機を提供することにある。
【０１５０】
遊技機Ａ１は、遊技機についての所定の遊技に関する制御を司る制御基板を内部に収容する基板ボックスを備えた遊技機であって、
前記基板ボックスは、
第１ケース体と、前記第１ケース体と合わされる第２ケース体と、
前記第１ケース体と第２ケース体との両開口の外周部に設けられた、板面を有する貼付板部と、から成り、
前記両貼付板部の境界を跨ぐようにして、それら貼付板部に貼り付けられる封印シールと、
前記貼付板部の板面に形成した隙間から出没するように取り付けた可動切断部と、を備え、
前記可動切断部は、前記第１ケース体と第２ケース体とを分離するようにスライド移動させたときに、このスライド中に所定箇所が押されて該可動切断部の少なくとも一部が前記貼付板部の板面の隙間から突出し、前記封印シールを切断するように構成した、ことを特徴とする遊技機。
【０１５１】
遊技機Ａ１では、第１ケース体と第２ケース体の境界に貼付している封印シールを不正開封をするときに、この封印シールは可動切断部で切断される。この封印シールを再度貼付できないようにし、不正開封を防止することができる。更に、この可動切断部では、切断した封印シールの切断線が粗くなるので、この切断部分を精緻に接続することができず、再度貼付することを防止することができる。
【０１５２】
遊技機Ａ２は、前記第１ケース体の貼付板部の板面に、該第１ケース体と合わされる第２ケース体とのスライド方向に長辺を有する複数のスリットを形成し、
各スリットから出没する複数の刃部と押圧板を有する前記可動切断部を両貼付板部の間に可動自在に取り付け、
該可動切断部の押圧板に、スライドしている前記第２ケース体の一部が当たり、該可動切断部の回動支持部分を中心にして該可動切断部が回動するように構成した、ことを特徴とする遊技機Ａ１の遊技機。
遊技機Ａ２では、スライドしている第２ケース体により可動切断部が回動すると、この可動切断部の刃部で封印シールは切断される。スリットの形成本数に合わせて、可動切断部の刃部が封印シールに複数の切断箇所を作るので、この切断部分を精緻に接続することができず、再度貼付することを防止することができる。
【０１５３】
遊技機Ａ３は、前記可動切断部の刃部は、一部に角部があり、この角部が前記押圧板から一番離れた位置にある、ことを特徴とする遊技機Ａ２の遊技機。
【０１５４】
遊技機Ａ３は、前記可動切断部の刃部は、全体が三角形状になる一辺に片刃を形成し、他辺を前記押圧板に取り付けた、ことを特徴とする遊技機Ａ２の遊技機。
【０１５５】
遊技機Ａ４は、前記可動切断部の刃部は、全体が三角形状になる一辺に鋸状の片刃を形成し、他辺を他辺を前記押圧板に取り付けた、ことを特徴とする遊技機Ａ２の遊技機。
遊技機Ａ４のような鋸状の刃部であれば、封印シールの切断面にギザギザ状、凹凸状の切断箇所が現れやすので、基板ボックスを不正に開閉したことを発見しやすい。
【０１５６】
遊技機Ａ５は、前記可動切断部は、前記スリット間を貫通するように複数の突起部を前記押圧板に形成した、ことを特徴とする遊技機Ａ２の遊技機。
遊技機Ａ６は、前記各貼付板部の板面に複数の貫通孔を形成し、
各貫通孔から出没する突起部を押圧板に取り付けた、ことを特徴とする遊技機Ａ１の遊技機。
遊技機Ａ５、Ａ６のような複数の複数の突起部であれば、封印シールの切断面に複数の大きな穴が現れやすので、基板ボックスを不正に開閉したことを発見しやすい。
【０１５７】
遊技機Ａ７は、前記第１ケース体の貼付板部の端縁に第１凹凸部を形成し、該第１凹凸部と噛合する第２凹凸部を前記第２ケース体の貼付板部の端縁に形成し、
前記第１凹凸部と第２凹凸部は、前記第１ケース体と第２ケース体とを分離するようにスライド移動させたときに、このスライド中に両第１凹凸部及び第２凹凸部が前記封印シールを切断するように構成した、ことを特徴とする遊技機Ａ１の遊技機。
遊技機Ａ７では、貼付板部の端部に形成した第１凹凸部と第２凹凸部は、ボックスベースとボックスカバーとをスライド移動させるときに、この両貼付板部に貼り付けられている封印シールを、この第１凹凸部と第２凹凸部の噛合状態に沿って複雑に切断することができる。
【０１５８】
遊技機Ｂ
本発明は、パチンコ機、スロットマシンあるいはメダルの代わりに遊技球でスロットマシンの遊技をするパロット等の遊技機に関する。
【０１５９】
遊技機（パチンコ機）、スロットマシン等の遊技機には制御基板が備えられており、その制御基板によって電子的に遊技内容の制御が行われている。制御基板は、ＣＰＵ（ＣｅｎｔｒａｌＰｒｏｃｅｓｓｉｎｇＵｎｉｔ）、ＲＡＭ（ＲａｎｄｏｍＡｃｃｅｓｓＭｅｍｏｒｙ）、ＲＯＭ（ＲｅａｄＯｎｌｙＭｅｍｏｒｙ）、その他必要とされる集積回路やインターフェース回路を備えている。制御基板のＲＯＭには、遊技の制御内容を決めるデータが記憶されている。このＲＯＭを交換することにより、遊技の制御内容を変更する。また、制御基板自体を交換する。
【０１６０】
この制御基板は基板ボックス内に収容されている。この基板ボックスは、その内部に制御基板を被包して収容するためのボックスベースとボックスカバーとを備えている。また、この基板ボックスには、このボックスベースとボックスカバーとを封止するための封止機構を備えている。この封止機構は所定箇所を破壊することにより開封できる構造となっている。その封止機構を破壊してケースを開封した場合には、封止機構の破壊に基づいて開封の有無が確認できる。
【０１６１】
更に、基板ボックスを構成する一対のケース体の接合部に再貼付しづらいものであり、剥がすと痕跡が残る封印シールを貼付している。基板ボックスには、このような不正開封防止が図られている。
【０１６２】
この封印シールを用いた不正対策に関する技術について、例えば特許文献１の特開２０１１−１５６４３３の「遊技機」には、基板ボックスにおいて封止手段の存する箇所でのケースの境界面に、封印シールを貼付する構成が提案されている。
【０１６３】
【特許文献１】特開２０１１−１５６４３３
【０１６４】
しかし、このような不正対策が施されていても、未だに不正行為が行われる可能性がある。この封印シールを構成した制御基板装置であっても、開封の痕跡が残らないようにして巧妙に不正が行われる可能性がある。例えば封印シールについては、一旦剥がし、その後再び基板ボックスに貼り直して元の状態に戻す不正行為は発見しづらいという問題を有していた。
【０１６５】
本発明は、上述した問題点等を解決するために創案されたものである。すなわち、本発明の目的は、基板ボックスを構成する一対のケース体の接合部に再貼付不可能な封印シールを貼付し、基板ボックスを開閉する際に封印シールが切断される構成にすることで、制御基板に対する不正を防止すると共に、その不正の痕跡を容易に発見することができる遊技機を提供することにある。
【０１６６】
遊技機Ｂ１は、遊技機についての所定の遊技に関する制御を司る制御基板を内部に収容する基板ボックスを備えた遊技機であって、
前記基板ボックスは、
第１ケース体と、前記第１ケース体とスライドさせて合わされる第２ケース体と、
前記第１ケース体と第２ケース体との両開口の外周部に設けられた、板面を有する貼付板部と、から成り、
前記両貼付板部の境界を跨ぐようにして、それら貼付板部に貼り付けられる封印シールと、
前記貼付板部の一方が、前記第１ケース体と第２ケース体とのスライド方向面に対して傾斜した状態になり、かつ該貼付板部に該スライド方向に形成した隙間と、
該隙間から出没するように、前記貼付板部の他方の板面に取り付けた切断刃構造と、を備え、
前記切断刃構造の刃先部は、前記第１ケース体と第２ケース体とを分離するようにスライド移動させたときに、該刃先部が両貼付板部の間隔が狭まった板面の前記隙間から突出し、前記封印シールを引掻きながら切断するように構成した、ことを特徴とする遊技機。
【０１６７】
遊技機Ｂ１では、第１ケース体と第２ケース体の境界に貼付している封印シールを不正開封するときに、この封印シールを切断刃構造の刃先部で引掻きながら切断する。この封印シールを再度貼付できないようにし、不正開封を防止することができる。更に、この切断刃構造では、封印シールを引掻きながら切断するので、この切断された封印シールの切断線が粗くなるので、この切断部分を精緻に接続することができず、再度貼付することを防止することができる。
【０１６８】
遊技機Ｂ２は、前記第１ケース体の貼付板部を移動する前記切断刃構造の刃先部が飛び出す高さ位置と飛び出さない高さ位置とを有するように、該第１ケース体と合わされる前記第２ケース体とのスライド方向に長辺を有する傾斜スリットを該貼付板部の板面に形成し、
各傾斜スリット間から飛び出す複数の刃先部を有する切断刃構造を、前記第２ケース体の貼付板部の端縁に形成し、
前記第１ケース体と第２ケース体とをスライドさせている際に、該貼付板部の板面の間隔が短い箇所の傾斜スリットから前記刃先部が飛び出すように構成した、ことを特徴とする遊技機Ｂ１の遊技機。
遊技機Ｂ２では、貼付板部の板面の間隔が長い箇所では飛び出していない刃先部が、第１ケース体と第２ケース体とのスライドの際に、板面の間隔が短い箇所に移動した刃先部が傾斜スリットから飛び出す。このとき貼付板部の板面に貼付されている封印シールに、飛び出した刃先部が引掻きながら複数箇所を切断するので、この切断部分を精緻に接続することができず、再度貼付することを防止することができる。
【０１６９】
遊技機Ｂ３は、前記切断刃構造の各刃先部に、該刃先部に相当する数の金属製の刃先を形成した櫛のような形状になる金属刃を取り付けた、ことを特徴とする遊技機Ｂ２の遊技機。
遊技機Ｂ３では、この金属刃は、封印シールを容易に切断できるようになる。また、樹脂製の切断刃構造の刃先部を補強する機能を合わせ持つ。
【０１７０】
遊技機Ｂ４は、前記第１ケース体の貼付板部の端縁に第一凹凸部を形成し、該第一凹凸部と噛合する第二凹凸部を前記第２ケース体の貼付板部の端縁に形成し、
前記第一凹凸部及び第二凹凸部は、前記第１ケース体及び第２ケース体とを分離するようにスライド移動させたときに、このスライド中に第一凹凸部及び第二凹凸部が前記封印シールを切断するように構成した、ことを特徴とする遊技機Ｂ１の遊技機。
遊技機Ｂ４では、貼付板部の端部に形成した第一凹凸部と第二凹凸部は、ボックスベースとボックスカバーとをスライド移動させるときに、この両貼付板部に貼付されている封印シールを、第一凹凸部と第二凹凸部の噛合状態に沿って複雑に切断することができる。
【０１７１】
因みに、特徴Ａ１乃至特徴Ａ７、特徴Ｂ１乃至特徴Ｂ４のいずれか１つ又はそれらの組み合わせを上記特徴Ａ１乃至Ａ７、特徴Ｂ１乃至特徴Ｂ４に適用してもよい。
【０１７２】
以下に、以上の各特徴を適用し得る遊技機の基本構成を示す。
【０１７３】
パチンコ遊技機：遊技者が操作する操作手段（遊技球発射ハンドル）と、その操作手段の操作に基づいて遊技球を発射する遊技球発射手段（遊技球発射機構のソレノイド）と、その発射された遊技球を所定の遊技領域に導く球通路と、遊技領域内に配置された各遊技部品（釘等）とを備え、それら各遊技部品のうち所定の通過部（作動口等）を遊技球が通過した場合に遊技者に特典を付与する遊技機。
【０１７４】
遊技機１０、Ａ１〜Ａ７、Ｂ１〜Ｂ４のいずれかにおいて、前記遊技機はパチンコ遊技機であることを特徴とする遊技機である。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示装置において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードヘ書き込まれるデータ等も含む）が付与されるものが挙げられる。
【０１７５】
遊技機１０、Ａ１〜Ａ７、Ｂ１〜Ｂ４のいずれかにおいて、前記遊技機はスロットマシンであることを特徴とする遊技機である。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０１７６】
遊技機１０、Ａ１〜Ａ７、Ｂ１〜Ｂ４のいずれかにおいて、前記遊技機はパチンコ遊技機とスロットマシンとを融合させたものであることを特徴とする遊技機である。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手投（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
【産業上の利用可能性】
【０１７７】
本発明の遊技機は、主にパチンコ機の遊技機に利用することができるが、遊技機の基板を収容する基板ケース（基板ボックス）を有する構成の遊技機であれば、パチンコ機以外の様々な遊技機に利用することができる。
【符号の説明】
【０１７８】
１０  遊技機としてのパチンコ機
１０８  基板ボックス
１０８１  ボックスベース（第１ケース体）
１０８２  ボックスカバー（第２ケース体）
１２０１  封印シール
１２０２  貼付板部（ボックスベース側）
１２０３  貼付板部（ボックスカバー側）
１２１４  第１凹凸部
１２１５  第２凹凸部
１２２１  切断刃構造
１２２２  刃先部
１２２３  傾斜スリット
１２２４  金属刃
【図１】
2020073223.tif 000003
【図２】
2020073223.tif 000004
【図３】
2020073223.tif 000005
【図４】
2020073223.tif 000006
【図５】
2020073223.tif 000007
【図６】
2020073223.tif 000008
【図７】
2020073223.tif 000009
【図８】
2020073223.tif 000010
【図９】
2020073223.tif 000011
【図１０】
2020073223.tif 000012
【図１１】
2020073223.tif 000013
【図１２】
2020073223.tif 000014
【図１３】
2020073223.tif 000015
【図１４】
2020073223.tif 000016
【図１５】
2020073223.tif 000017
【図１６】
2020073223.tif 000018
【図１７】
2020073223.tif 000019
【図１８】
2020073223.tif 000020
【図１９】
2020073223.tif 000021
【図２０】
2020073223.tif 000022
【図２１】
2020073223.tif 000023
【図２２】
2020073223.tif 000024
【図２３】
2020073223.tif 000025
【図２４】
2020073223.tif 000026
【図２５】
2020073223.tif 000027
【図２６】
2020073223.tif 000028
【図２７】
2020073223.tif 000029
【図２８】
2020073223.tif 000030
【図２９】
2020073223.tif 000031
【図３０】
2020073223.tif 000032
【図３１】
2020073223.tif 000033
【図３２】
2020073223.tif 000034
【図３３】
2020073223.tif 000035
【図３４】
2020073223.tif 000036
【図３５】
2020073223.tif 000037